(57)【特許請求の範囲】
【請求項１】
通信の方法において、
アクセス端末において、ネットワークエンティティから表示を受信することと、
前記アクセス端末によって発信されるメッセージサービスがインターネットプロトコルドメインを通して優先して呼び出されるべきであることを、または、前記メッセージサービスは前記インターネットプロトコルドメインを通して呼び出されるべきではないことを示している前記表示を、前記アクセス端末において維持することと、
前記表示に基づいて、前記アクセス端末からメッセージサービス情報を送ることとを含み、
前記メッセージサービス情報を送ることは、
前記メッセージサービスが前記インターネットプロトコルドメインを通して優先して呼び出されるべきであることを前記表示が示している場合に、インターネットプロトコルマルチメディアサブシステムシグナリングを通して前記メッセージサービス情報を送ろうと試行することと、
前記インターネットプロトコルマルチメディアサブシステムシグナリングを通して前記メッセージサービス情報を送ろうとする前記試行が失敗した場合に、非アクセスストラタムシグナリングまたは回線交換ドメインのうちの１つにアタッチして、前記非アクセスストラタムシグナリングまたは前記回線交換ドメインのうちの１つを通して前記メッセージサービス情報を送ろうと試行することとを含む方法。
【請求項２】
前記メッセージサービスは、ショートメッセージサービスを含む請求項１記載の方法。
【請求項３】
前記インターネットプロトコルドメインは、前記インターネットプロトコルマルチメディアサブシステムドメインを含む請求項２記載の方法。
【請求項４】
前記ネットワークエンティティは、前記アクセス端末に対するホームオペレータエンティティを含む請求項１記載の方法。
【請求項５】
前記アクセス端末の１つ以上の最初のプログラミングまたは配備とともに、前記表示に基づいて前記アクセス端末を構成することをさらに含む請求項１記載の方法。
【請求項６】
前記メッセージサービス情報を送ることは、前記メッセージサービスは前記インターネットプロトコルドメインを通して呼び出されるべきではないと前記表示が示している場合に、前記非アクセスストラタムシグナリングを通して前記メッセージサービス情報を送ろうと試行することをさらに含む請求項１記載の方法。
【請求項７】
前記メッセージサービス情報を送ることは、前記メッセージサービスは前記インターネットプロトコルドメインを通して呼び出されるべきではないと前記表示が示している場合に、前記メッセージサービス情報を送るために前記回線交換ドメインに登録することをさらに含む請求項１記載の方法。
【請求項８】
通信のための装置において、
アクセス端末において、ネットワークエンティティから表示を受信するように構成されている受信機と、
前記アクセス端末によって発信されるメッセージサービスがインターネットプロトコルドメインを通して優先して呼び出されるべきであることを、または、前記メッセージサービスは前記インターネットプロトコルドメインを通して呼び出されるべきではないことを示している前記表示を、前記アクセス端末において維持するように構成されているメモリコンポーネントと、
前記表示に基づいて、前記アクセス端末からメッセージサービス情報を送るように構成されているメッセージサービスプロセッサとを具備し、
前記メッセージサービスプロセッサは、
前記メッセージサービスが前記インターネットプロトコルドメインを通して優先して呼び出されるべきであることを前記表示が示している場合に、インターネットプロトコルマルチメディアサブシステムシグナリングを通して前記メッセージサービス情報を送ろうと試行するようにと、
前記インターネットプロトコルマルチメディアサブシステムシグナリングを通して前記メッセージサービス情報を送ろうとする前記試行が失敗した場合に、非アクセスストラタムシグナリングまたは回線交換ドメインのうちの１つにアタッチして、前記非アクセスストラタムシグナリングまたは前記回線交換ドメインのうちの１つを通して前記メッセージサービス情報を送ろうと試行するようにさらに構成されている装置。
【請求項９】
前記メッセージサービスは、ショートメッセージサービスを含む請求項８記載の装置。
【請求項１０】
前記インターネットプロトコルドメインは、前記インターネットプロトコルマルチメディアサブシステムドメインを含む請求項９記載の装置。
【請求項１１】
前記メッセージサービスプロセッサは、前記メッセージサービスは前記インターネットプロトコルドメインを通して呼び出されるべきではないと前記表示が示している場合に、前記非アクセスストラタムシグナリングまたは前記回線交換ドメインのうちの１つを通して前記メッセージサービス情報を送ろうと試行するようにさらに構成されている請求項８記載の装置。
【請求項１２】
通信のための装置において、
アクセス端末において、ネットワークエンティティから表示を受信する手段と、
前記アクセス端末によって発信されるメッセージサービスがインターネットプロトコルドメインを通して優先して呼び出されるべきであることを、または、前記メッセージサービスは前記インターネットプロトコルドメインを通して呼び出されるべきではないことを示している前記表示を、前記アクセス端末において維持する手段と、
前記表示に基づいて、前記アクセス端末からメッセージサービス情報を送る手段とを具備し、
前記メッセージサービス情報を送る手段は、
前記メッセージサービスが前記インターネットプロトコルドメインを通して優先して呼び出されるべきであることを前記表示が示している場合に、インターネットプロトコルマルチメディアサブシステムシグナリングを通して前記メッセージサービス情報を送ろうと試行する手段と、
前記インターネットプロトコルマルチメディアサブシステムシグナリングを通して前記メッセージサービス情報を送ろうとする前記試行が失敗した場合に、非アクセスストラタムシグナリングまたは回線交換ドメインのうちの１つにアタッチして、前記非アクセスストラタムシグナリングまたは前記回線交換ドメインのうちの１つを通して前記メッセージサービス情報を送ろうと試行する手段とを備える装置。
【請求項１３】
前記メッセージサービスは、ショートメッセージサービスを含む請求項１２記載の装置。
【請求項１４】
前記インターネットプロトコルドメインは、前記インターネットプロトコルマルチメディアサブシステムドメインを含む請求項１３記載の装置。
【請求項１５】
前記メッセージサービス情報を送る手段は、前記メッセージサービスは前記インターネットプロトコルドメインを通して呼び出されるべきではないと前記表示が示している場合に、前記非アクセスストラタムシグナリングまたは前記回線交換ドメインのうちの１つを通して前記メッセージサービス情報を送ろうと試行する手段をさらに備える請求項１２記載の装置。
【請求項１６】
コンピュータ読み取り可能記憶媒体において、
ネットワークエンティティから表示を受信するようにアクセス端末にさせるためのコードと、
前記アクセス端末によって発信されるメッセージサービスがインターネットプロトコルドメインを通して優先して呼び出されるべきであることを、または、前記メッセージサービスは前記インターネットプロトコルドメインを通して呼び出されるべきではないことを示している前記表示を、前記アクセス端末において維持させるように前記アクセス端末にさせるためのコードと、
前記表示に基づいて、前記アクセス端末からメッセージサービス情報を送るように前記アクセス端末にさせるためのコードとを含み、
前記メッセージサービス情報を送るように前記アクセス端末にさせるためのコードは、
前記メッセージサービスが前記インターネットプロトコルドメインを通して優先して呼び出されるべきであることを前記表示が示している場合に、インターネットプロトコルマルチメディアサブシステムシグナリングを通して前記メッセージサービス情報を送るように前記アクセス端末にさらに試行させ、
前記インターネットプロトコルマルチメディアサブシステムシグナリングを通して前記メッセージサービス情報を送ろうとする前記試行が失敗した場合に、非アクセスストラタムシグナリングまたは回線交換ドメインのうちの１つにアタッチして、前記非アクセスストラタムシグナリングまたは前記回線交換ドメインのうちの１つを通して前記メッセージサービス情報を送るように前記アクセス端末にさらに試行させるコンピュータ読み取り可能記憶媒体。
【請求項１７】
前記メッセージサービスは、ショートメッセージサービスを含む請求項１６記載のコンピュータ読み取り可能記憶媒体。
【請求項１８】
前記インターネットプロトコルドメインは、前記インターネットプロトコルマルチメディアサブシステムドメインを含む請求項１７記載のコンピュータ読み取り可能記憶媒体。
【請求項１９】
前記メッセージサービス情報を送るように前記端末にさせるためのコードは、前記メッセージサービスは前記インターネットプロトコルドメインを通して呼び出されるべきではないと前記表示が示している場合に、前記非アクセスストラタムシグナリングまたは前記回線交換ドメインのうちの１つを通して前記メッセージサービス情報を送るように前記アクセス端末にさらに試行させる請求項１６記載のコンピュータ読み取り可能記憶媒体。
【請求項２０】
通信の方法において、
アクセス端末によって発信されるメッセージサービスがインターネットプロトコルドメインを通して優先して呼び出されるべきであることを、または、前記メッセージサービスは前記インターネットプロトコルドメインを通して呼び出されるべきではないことを示している表示をネットワークエンティティにおいて発生させることと、
前記ネットワークエンティティによって、前記表示を前記アクセス端末に対して送って、前記アクセス端末が前記メッセージサービスをその後発信するために選択するドメインを制御することとを含み、
前記表示は、前記メッセージサービスが前記インターネットプロトコルドメインを通して優先して呼び出されるべきであることを前記表示が示している場合に、インターネットプロトコルマルチメディアサブシステムシグナリングを通してメッセージサービス情報を送るように前記アクセス端末に試行させ、
前記表示は、前記インターネットプロトコルマルチメディアサブシステムシグナリングを通して前記メッセージサービス情報を送ろうとする前記試行が失敗した場合に、非アクセスストラタムシグナリングまたは回線交換ドメインのうちの１つにアタッチして、前記非アクセスストラタムシグナリングまたは前記回線交換ドメインのうちの１つを通して前記メッセージサービス情報を送るように前記アクセス端末にさらに試行させる方法。
【請求項２１】
前記メッセージサービスは、ショートメッセージサービスを含む請求項２０記載の方法。
【請求項２２】
前記インターネットプロトコルドメインは、前記インターネットプロトコルマルチメディアサブシステムドメインを含む請求項２１記載の方法。
【請求項２３】
前記表示は、前記アクセス端末に対するホームオペレータエンティティによって送られる請求項２０記載の方法。
【請求項２４】
通信のための装置において、
アクセス端末によって発信されるメッセージサービスがインターネットプロトコルドメインを通して優先して呼び出されるべきであることを、または、前記メッセージサービスは前記インターネットプロトコルドメインを通して呼び出されるべきではないことを示している表示をネットワークエンティティにおいて発生させるように構成されているメッセージサービスプロセッサと、
前記ネットワークエンティティによって、前記表示を前記アクセス端末に対して送って、前記アクセス端末が前記メッセージサービスをその後発信するために選択するドメインを制御するように構成されている送信機とを具備し、
前記表示は、前記メッセージサービスが前記インターネットプロトコルドメインを通して優先して呼び出されるべきであることを前記表示が示している場合に、インターネットプロトコルマルチメディアサブシステムシグナリングを通してメッセージサービス情報を送るように前記アクセス端末に試行させ、
前記表示は、前記インターネットプロトコルマルチメディアサブシステムシグナリングを通して前記メッセージサービス情報を送ろうとする前記試行が失敗した場合に、非アクセスストラタムシグナリングまたは回線交換ドメインのうちの１つにアタッチして、前記非アクセスストラタムシグナリングまたは前記回線交換ドメインのうちの１つを通して前記メッセージサービス情報を送るように前記アクセス端末にさらに試行させる装置。
【請求項２５】
前記メッセージサービスは、ショートメッセージサービスを含む請求項２４記載の装置。
【請求項２６】
前記インターネットプロトコルドメインは、前記インターネットプロトコルマルチメディアサブシステムドメインを含む請求項２５記載の装置。
【請求項２７】
通信のための装置において、
アクセス端末によって発信されるメッセージサービスがインターネットプロトコルドメインを通して優先して呼び出されるべきであることを、または、前記メッセージサービスは前記インターネットプロトコルドメインを通して呼び出されるべきではないことを示している表示をネットワークエンティティにおいて発生させる手段と、
前記ネットワークエンティティによって、前記表示を前記アクセス端末に対して送って、前記アクセス端末が前記メッセージサービスをその後発信するために選択するドメインを制御する手段とを具備し、
前記表示は、前記メッセージサービスが前記インターネットプロトコルドメインを通して優先して呼び出されるべきであることを前記表示が示している場合に、インターネットプロトコルマルチメディアサブシステムシグナリングを通してメッセージサービス情報を送るように前記アクセス端末に試行させ、
前記表示は、前記インターネットプロトコルマルチメディアサブシステムシグナリングを通して前記メッセージサービス情報を送ろうとする前記試行が失敗した場合に、非アクセスストラタムシグナリングまたは回線交換ドメインのうちの１つにアタッチして、前記非アクセスストラタムシグナリングまたは前記回線交換ドメインのうちの１つを通して前記メッセージサービス情報を送るように前記アクセス端末にさらに試行させる装置。
【請求項２８】
前記メッセージサービスは、ショートメッセージサービスを含む請求項２７記載の装置。
【請求項２９】
前記インターネットプロトコルドメインは、前記インターネットプロトコルマルチメディアサブシステムドメインを含む請求項２８記載の装置。
【請求項３０】
コンピュータ読み取り可能記憶媒体において、
アクセス端末によって発信されるメッセージサービスがインターネットプロトコルドメインを通して優先して呼び出されるべきであることを、または、前記メッセージサービスは前記インターネットプロトコルドメインを通して呼び出されるべきではないことを示している表示をコンピュータにネットワークエンティティにおいて発生させるためのコードと、
前記ネットワークエンティティによって、前記表示を前記アクセス端末に対して送って、前記アクセス端末が前記メッセージサービスをその後発信するために選択するドメインを制御するように前記コンピュータにさせるためのコードとを含み、
前記表示は、前記メッセージサービスが前記インターネットプロトコルドメインを通して優先して呼び出されるべきであることを前記表示が示している場合に、インターネットプロトコルマルチメディアサブシステムシグナリングを通してメッセージサービス情報を送るように前記アクセス端末に試行させ、
前記表示は、前記インターネットプロトコルマルチメディアサブシステムシグナリングを通して前記メッセージサービス情報を送ろうとする前記試行が失敗した場合に、非アクセスストラタムシグナリングまたは回線交換ドメインのうちの１つにアタッチして、前記非アクセスストラタムシグナリングまたは前記回線交換ドメインのうちの１つを通して前記メッセージサービス情報を送るように前記アクセス端末にさらに試行させるコンピュータ読み取り可能記憶媒体。
【請求項３１】
前記メッセージサービスは、ショートメッセージサービスを含む請求項３０記載のコンピュータ読み取り可能記憶媒体。
【請求項３２】
前記インターネットプロトコルドメインは、前記インターネットプロトコルマルチメディアサブシステムドメインを含む請求項３１記載のコンピュータ読み取り可能記憶媒体。
【発明の詳細な説明】
【優先権の主張】
【０００１】
本願は、２００９年８月１０日に出願され、代理人ドケット番号０９３２０６Ｐ１号が割り当てられた、共通に所有されている米国仮特許出願番号第６１／２３２，７３３号に対して利益と優先権とを主張する。この開示は、ここでの参照によりここに組み込まれている。
【背景】
【０００２】
分野
本出願は、一般的に、通信に関し、さらに詳細には、これに限らないが、メッセージサービス情報の配信のためのドメインの選択に関する。
【０００３】
導入
さまざまなタイプのサービス（例えば、音声、データ、マルチメディアサービス等）を、規定された地理的エリア内のユーザに提供するために、その地理的エリアにわたって、ワイヤレス通信ネットワークが配備されている。典型的なインプリメンテーションでは、ネットワークによって担当されている地理的エリア内で動作しているアクセス端末（例えば、セル電話機）に対するワイヤレス接続性を提供するために、（例えば、異なるセルに対応している）アクセスポイントが、ネットワーク全体を通して分散されている。
【０００４】
さまざまなタイプの情報が、アクセス端末とネットワークとの間で送られることがあり、この情報は、異なるタイプのドメインを通して送られることがある。例えば、アクセス端末が、音声トラフィックや、ウェブブラウザトラフィックや、ストリーミングトラフィックや、（例えば、１６０個までのキャラクタの配信用の）ショートメッセージサービス（ＳＭＳ）トラフィックや、他のタイプのトラフィックを、ネットワークに送るかもしれない。加えて、さまざまなシナリオでは、このトラフィックは、インターネットプロトコル（ＩＰ）ドメインまたは他の何らかのタイプのドメイン（例えば、回線交換（ＣＳ）ドメイン）を通して送られるかもしれない。例えば、ＧＳＭ ＥＤＧＥ無線アクセスネットワーク（ＧＥＲＡＮ）またはＵＭＴＳ地上無線アクセスネットワーク（ＵＴＲＡＮ）システム用のアクセス端末は、ＩＰマルチメディアサブシステム（ＩＭＳ）ドメインのようなＩＰドメインを通して、または、ＣＳドメインを通して、通信することができるかもしれない。同様に、進化したＵＴＲＡＮ（Ｅ−ＵＴＲＡＮ）システム用のアクセス端末は、ＩＭＳドメインのようなＩＰドメインを通して、または、ＣＳフォールバック（ＣＳＦＢ）ドメインを通して通信することができるかもしれない。したがって、異なるタイプのドメインを通しての、アクセス端末からの情報配信を促進するための効率的な技術に対する必要性がある。
【概要】
【０００５】
この開示のサンプルの態様の概要が続く。ここでの説明では、態様という用語に対する何らかの言及は、この開示の１つ以上の態様に関連していることがある。
【０００６】
いくつかの態様では、この開示は、メッセージサービス（例えば、ＳＭＳのようなテキスト通信サービス）に対する情報を、異なるドメインを通して、どのようにルーティングするかを制御するために使用する表示を提供することに関連する。例えば、メッセージサービスがＩＰドメインを通して優先して呼び出されるべきであることを、または、メッセージサービスはＩＰドメインを通して呼び出されるべきではないことを示している表示によりアクセス端末を構成していてもよい（例えば、アクセス端末が表示を受信して、その表示を維持する）。その後、アクセス端末は、その表示の値に基づいて、メッセージサービス情報を配信する。例えば、表示が、ＩＭＳを通してＳＭＳを配信する優先を示している場合、アクセス端末は、最初に、ＳＭＳの配信のためにＩＭＳドメインを使用しようと試行する。この試行が失敗した場合、アクセス端末は、非アクセスストラタム（ＮＡＳ）ドメインを通してＳＭＳを配信しようと試行してもよい。このケースにおいて、アクセス端末が既に登録されていない場合、アクセス端末は、ＣＳドメインに登録（例えば、移動体交換センターに登録）してもよい。反対に、ＳＭＳを配信するためにＩＭＳが使用されるべきではないと表示が示している場合、アクセス端末は、単に、（適用可能な場合に、ＣＳドメインに登録することを含む）ＮＡＳを通してＳＭＳを配信しようと試行してもよい。
【０００７】
したがって、メッセージサービス情報を送るべきと決定した際、アクセス端末は、アクセス端末において維持されている表示に基づいて、メッセージサービス情報を配信するためのドメインを識別してもよい。アクセス端末は、その後、識別したドメインを通して、メッセージサービス情報を配信する。
【０００８】
いくつかのケースでは、ネットワークエンティティが、表示を発生させて、その表示をアクセス端末に送ってもよい。例えば、ドメイン選択に関する、ホームペレータの優先または能力を特定するためにアクセス端末に送られるＯＭＡ−ＤＭフラグを、ホームオペレータが規定してもよい。
【０００９】
いくつかの態様では、この開示は、特定のタイプのトラフィックに対して選択されたドメインに基づいて、ドメインを選択することに関連する。例えば、メッセージサービス情報を送るべきであると決定した際、アクセス端末は、音声トラフィックに対して使用するドメインを識別してもよい。アクセス端末は、その後、このドメインを通してメッセージサービス情報を配信しようと試行してもよい。
【図面の簡単な説明】
【００１０】
後続する、詳細な説明および添付した特許請求の範囲中で、そして付随する図面中で、この開示の、これらのサンプルの態様および他のサンプルの態様を記述する。
【図１】図１は、表示に基づいて、メッセージサービス情報の配信のためのドメインを選択する通信システムのいくつかのサンプルの態様の簡略化したブロック図である。
【図２】図２は、表示に基づいて、メッセージサービス情報を配信するためのドメインを選択することに関連して実行され得る動作のいくつかのサンプルの態様のフローチャートである。
【図３】図３は、識別されたドメインを通してメッセージサービス情報を配信することに関連して実行され得る動作のいくつかのサンプルの態様のフローチャートである。
【図４】図４は、Ｅ−ＵＴＲＡＮ上でキャンピングしているアクセス端末に対するドメイン選択に関連して実行され得る動作のいくつかのサンプルの態様のフローチャートである。
【図５】図５は、ＵＴＲＡＮ上でキャンピングしているアクセス端末に対するドメイン選択に関連して実行され得る動作のいくつかのサンプルの態様のフローチャートである。
【図６】図６は、Ｅ−ＵＴＲＡＮ上でキャンピングしているが、Ｅ−ＵＴＲＡＮにアタッチされていないアクセス端末に対するドメイン選択に関連して実行され得る動作の１つの例のいくつかのサンプルの態様のフローチャートである。
【図７】図７は、Ｅ−ＵＴＲＡＮ上でキャンピングしているが、Ｅ−ＵＴＲＡＮにアタッチされていないアクセス端末に対するドメイン選択に関連して実行され得る動作の別の例のいくつかのサンプルの態様のフローチャートである。
【図８】図８は、ｃｄｍａ２０００無線技術をサポートするシステムにおけるドメイン選択に関連して実行され得る動作のいくつかのサンプルの態様のフローチャートである。
【図９】図９は、特定されたタイプのトラフィックに対して使用されるドメインに基づいて、メッセージサービス情報を配信するためのドメインを選択することに関連して実行され得る動作のいくつかのサンプルの態様のフローチャートである。
【図１０】図１０は、サンプルのＥ−ＵＴＲＡＮ通信システムにおけるメッセージサービス情報の配信のための異なるドメインを図示している簡略化した図である。
【図１１】図１１は、サンプルのＵＴＲＡＮ通信システムにおけるメッセージサービス情報の配信のための異なるドメインを図示している簡略化した図である。
【図１２】図１２は、サンプルのＧＥＲＡＮ通信システムにおけるメッセージサービス情報の配信のための異なるドメインを図示している簡略化した図である。
【図１３】図１３は、メッセージサービス情報の配信のためにｃｄｍａ２０００ドメインをサポートする、サンプルのシステムを図示している簡略化した図である。
【図１４】図１４は、通信ノード中で用いられ得る、いくつかのサンプルの態様のコンポーネントの簡略化したブロック図である。
【図１５】図１５は、通信コンポーネントのいくつかのサンプルの態様の簡略化したブロック図である。
【図１６】図１６は、ここで教示されているような、メッセージサービス情報を配信するためのドメインの選択をサポートするように構成されている装置のいくつかのサンプルの態様の簡略化したブロック図である。
【図１７】図１７は、ここで教示されているような、メッセージサービス情報を配信するためのドメインの選択をサポートするように構成されている装置のいくつかのサンプルの態様の簡略化したブロック図である。
【図１８】図１８は、ここで教示されているような、メッセージサービス情報を配信するためのドメインの選択をサポートするように構成されている装置のいくつかのサンプルの態様の簡略化したブロック図である。
【図１９】図１９は、ここで教示されているような、メッセージサービス情報を配信するためのドメインの選択をサポートするように構成されている装置のいくつかのサンプルの態様の簡略化したブロック図である。
【００１１】
一般的なプラクティスにしたがった、図面中で図示したさまざまな特徴は、スケーリングして描かれていないかもしれない。したがって、さまざまな特徴の寸法は、明確にするために、任意に、拡大または縮小をしていることがある。加えて、図面のうちのいくつかは、明確にするために簡略化していることがある。したがって、図面は、所定の装置（例えば、デバイス）または方法のコンポーネントのすべてを図示していないかもしれない。最後に、明細書および図面全体を通して、同じ特徴を示すために同じ参照番号を使用していることがある。
【詳細な説明】
【００１２】
この開示のさまざまな態様を以下で記述する。ここでの教示は、幅広いさまざまな形態で具現化してもよいことや、ここで開示している任意の特定の構成、機能、または双方のものは、単なる代表例であることは明らかである。ここでの教示に基づいて、ここで開示した態様は、他の何らかの態様とは無関係に実現してもよいこと、そして、これらの態様のうちの２つ以上のものはさまざまな方法で組み合わせてもよいことを、当業者は正しく認識すべきである。例えば、ここで述べた任意の数の態様を使用して、装置を実現しても、または、方法を実施してもよい。加えて、ここで述べた態様のうちの１つ以上に加えて、または、これ以外の構成および機能性を、あるいは、他の構成、機能性を使用して、このような装置を実現してもよく、または、このような方法を実施してもよい。さらに、態様は、請求項の少なくとも１つの要素を含んでいてもよい。
【００１３】
図１は、サンプルの通信システム１００のいくつかのノード（例えば、通信ネットワークの一部）を図示している。図示する目的のために、互いに通信する、１つ以上のアクセス端末や、アクセスポイントや、ネットワークエンティティの文脈中で、この開示のさまざまな態様を記述する。しかしながら、ここでの教示は、他の専門用語を使用して参照される、他のタイプの装置または他の類似した装置に適用可能であってもよいことを正しく認識すべきである。例えば、さまざまなインプリメンテーションでは、アクセスポイントは、ｅノードＢ、ノードＢ、基地局等と呼ばれることがあり、または、ｅノードＢ、ノードＢ、基地局として実現してもよい一方で、アクセス端末は、ユーザ機器、移動局、移動体等と呼ばれることがあり、または、ユーザ機器、移動局、移動体等として実現してもよい。
【００１４】
システム１００中のアクセスポイントは、１つ以上のワイヤレス端末（例えば、アクセス端末１０２）に対して１つ以上のサービス（例えば、ネットワーク接続性）を提供し、この１つ以上のサービス（例えば、ネットワーク接続性）は、システム１００のカバレッジエリア内でインストールされてもよく、または、システム１００のカバレッジエリア全体にわたってローミングしてもよい。例えば、さまざまな時点で、アクセス端末１０２は、（示されていない）システム１００中で、アクセスポイント１０４または他の何らかのアクセスポイントに接続してもよい。これらのアクセスポイントのそれぞれは、ワイドエリアネットワーク接続性を容易にするために、（便宜のために、ネットワークエンティティ１０６によって表されている）１つ以上のネットワークエンティティと通信してもよい。例えば、１つ以上の無線および／またはコアネットワークエンティティのような、これらのネットワークエンティティは、さまざまな形態を取ってもよい。したがって、さまざまなインプリメンテーションでは、ネットワークエンティティ１０６は、（例えば、運営や、アドミニストレーションや、管理や、プロビジョニングエンティティを通しての）ネットワーク管理、コール制御、セッション管理、モビリティ管理、ゲートウェイ機能、インターワーキング機能、または他の何らかの適したネットワーク機能性のうちの少なくとも１つのような機能性を表してもよい。
【００１５】
ここでの教示にしたがうと、アクセス端末１０２は、メッセージサービス表示１０８を有するように構成されており、このメッセージサービス表示１０８は、メッセージサービス情報（例えば、ＳＭＳメッセージ）を配信するためのドメインを識別するためにアクセス端末１０２が使用する。例えば、この表示の値に基づいて、メッセージサービスドメインセレクタ１０８が、メッセージサービス情報を、ＩＰドメイン１１２に配信することを、または、別のドメイン１１４に配信することを選んでもよい。いくつかのインプリメンテーションでは、ネットワークエンティティ１０６が、（対応する破線によって表されているように）メッセージサービス表示１０８により、アクセス端末１０２を構成してもよい。例えば、アクセス端末１０２のホーム公衆陸上移動体ネットワーク（ＨＰＬＭＮ）オペレータに関係するエンティティが、アクセス端末１０２の優先される動きを制御するために、この表示により、アクセス端末１０２を構成してもよい。
【００１６】
３ＧＰＰ仕様は、ＳＭＳ配信のための２つのメカニズム：ＩＭＳ（ＩＰドメイン）を通してのＳＭＳと、ＮＡＳ（例えば、ＣＳドメイン）を通してのＳＭＳとを提供する。ＩＭＳを通してのＳＭＳでは、ＩＭＳを使用して、パケット交換（ＰＳ）ドメインユーザプレーン中でＳＭＳを配信する。
【００１７】
ＮＡＳを通してのＳＭＳでは、ＮＡＳシグナリングを通して、ＳＭＳを配信する。このシグナリングは、アクセス端末が現在キャンピングしている無線アクセス技術（ＲＡＴ）に依存して、さまざまな形態を取ってもよい。ＧＥＲＡＮ上のアクセス端末では、ＮＡＳシグナリングは、ＣＳ ＮＡＳシグナリングを通してのＳＭＳを含む。ＵＴＲＡＮ上のアクセス端末では、ＮＡＳシグナリングは、汎用パケット無線サービス（ＧＰＲＳ）ＮＡＳシグナリングを通してのＳＭＳと、移動体交換センター（ＭＳＣ）と担当ＧＰＲＳサポートノード（ＳＧＳＮ）との間のＧｓインターフェースとを含む。Ｅ−ＵＴＲＡＮ上でのアクセス端末では、ＮＡＳシグナリングは、ＥＰＳ ＮＡＳシグナリングを通してのＳＭＳと、ＭＳＣとモビリティ管理エンティティ（ＭＭＥ）との間のＳＧｓインターフェースとを含む。
【００１８】
Ｅ−ＵＴＲＡＮ上でキャンピングしている、ＣＳＦＢおよびＩＭＳ可能なアクセス端末の場合、あるいは、ＧＥＲＡＮ／ＵＴＲＡＮ上でキャンピングしている、ＣＳおよびＩＭＳ可能なアクセス端末の場合、アクセス端末は、ＳＭＳをどのように配信するかを決めるために、ここでの教示を用いてもよい。加えて、他のドメインを通してＳＭＳを配信するために、類似した技術を用いてもよい。例えば、Ｅ−ＵＴＲＡＮおよびｃｄｍａ２０００無線技術を備えるアクセス端末の場合、アクセス端末がＥ−ＵＴＲＡＮ中にあるとき、アクセス端末は、ＩＭＳを通してのＳＭＳを、または、Ｓ１０２を通してのＳＭＳを使用してもよい。
【００１９】
したがって、この開示は、いくつかの態様では、無線アクセス技術にわたってＣＳ／ＣＳＦＢおよびＩＭＳ可能なアクセス端末に対するＳＭＳドメイン選択の方法論に関連する。いくつかのインプリメンテーションでは、アクセス端末は、１つのコンフィギュレーションを使用する。：アクセス端末は、ＩＭＳを通してのＳＭＳを使用するように構成されている、または、アクセス端末は、ＩＭＳを通してのＳＭＳを使用するように構成されていない（例えば、ＮＡＳまたはＳ１０２を通してのＳＭＳを使用するように構成されている）のいずれかである。アクセス端末がＩＭＳを通してのＳＭＳを使用するように構成されているとき、アクセス端末は、最初に、ＩＭＳを通してＳＭＳを配信しようと試行する。これが可能でない場合、アクセス端末は、ＮＡＳ（またはＳ１０２）を通してＳＭＳを配信しようと試す。アクセス端末がＩＭＳを通してのＳＭＳを使用するように構成されていないとき、アクセス端末は、ＮＡＳ（またはＳ１０２）を通してのＳＭＳを試行するだけである。
【００２０】
ここでの教示にしたがった、システム１００のようなシステムによって実行され得るサンプル動作を、図２および図３のフローチャートとともに、より詳細に記述する。便宜のために、図２および図３の動作（または、ここで説明または教示した他の何らかの動作）は、特定のコンポーネント（例えば、図１や、図１０−図１４中で記述したようなコンポーネント）によって実行されているとして記述することがある。しかしながら、これらの動作は、他のタイプのコンポーネントによって実行してもよいことや、異なる数のコンポーネントを使用して実行してもよいことを正しく認識すべきである。所定のインプリメンテーションでは、ここで記述した動作のうちの１つ以上を用いなくてもよいことも正しく認識すべである。
【００２１】
最初に図２を参照すると、ブロック２０２および２０４は、メッセージサービス表示によりアクセス端末を構成するように実行され得る動作を記述している。ここで、何らかの時点で、メッセージサービス表示を発生させて、アクセス端末に送る。
【００２２】
この表示は、さまざまな形態を取ってもよい。例えば、表示は、メッセージサービスがＩＰドメインを通して優先して呼び出されるべきであることを（例えば、「０」のような、第１の指定された値を通して）示していてもよく、または、表示は、メッセージサービスはＩＰドメインを通して呼び出されるべきではないことを（例えば、「１」のような、第２の指定された値を通して）示していてもよい。特定の例として、「ＩＭＳを通してのＳＭＳ」という表示は、ＳＭＳがＩＭＳを通して優先して呼び出されるべきであることを、または、ＳＭＳはＩＭＳを通して呼び出されるべきではない（例えば、代わりに、ＳＭＳは、ＮＡＳまたは他の何らかのドメインを通して呼び出されるべきである）ことを示していてもよい。したがって、いくつかの態様では、このような表示は、所定のドメインがネットワークによって（例えば、ホームネットワークによって）サポートされるか否かを示していてもよい。
【００２３】
ブロック２０２および２０４の動作は、例えば、ネットワークエンティティまたはコンフィギュレーションエンティティのような、さまざまなエンティティによって実行されてもよい。前者の例として、ＩＭＳ ＯＭＡ−ＤＭ（オープンモバイルアライアンスデバイス管理）ＭＯ（移動体発信）中で規定されたフラグを、ホームオペレータが発生させてもよい。このフラグは、アクセス端末に対するホームオペレータが、ＩＭＳを通してのＳＭＳを使用することを望んでいるか否かを示している。そして、ホームオペレータは、アクセス端末を予め構成してもよく、および／または、ネットワーク接続を通して表示をアクセス端末に送ることによって、アクセス端末を動的に更新／構成してもよい。後者の例として、アクセス端末が最初にプログラミングされたとき、アクセス端末が最初に配備されたとき、または他の何らかの時間において（例えば、表示をアクセス端末にダウンロードすることによって）、コンフィギュレーションエンティティがアクセス端末を構成（例えば、予め構成）してもよい。
【００２４】
ブロック２０６において表されているように、アクセス端末は、このように、何らかの時点で（例えば、プレコンフィギュレーション動作の間に、または、更新／コンフィギュレーション動作の間に）メッセージサービス表示を受信するだろう。アクセス端末は、ワイヤレス接続を通して（例えば、アクセスポイントを通してネットワークエンティティから）、または、（例えば、アクセス端末が製造されているときのプレコンフィギュレーションの間に）ワイヤード接続を通して、この表示を受信してもよい。
【００２５】
ブロック２０８において表されているように、この表示の受信の際、アクセス端末が、メッセージサービス動作の間の後続使用のために表示を維持する（例えば、メモリデバイス中に、表示を記憶する）。ここで、（例えば、動的更新の間に）アクセス端末によって受信された表示は、アクセス端末がＳＭＳに関して維持しているかもしれない何らかの静的なコンフィギュレーションを無効にすることがある。
【００２６】
ブロック２１０において表されているように、アクセス端末が、維持されている表示に基づいて（例えば、維持されている表示の値に基づいて）メッセージサービス情報を配信する。例えば、ブロック２１２において表されているように、ＩＰドメイン（例えば、ＩＭＳ）が優先されることを表示が示している場合、アクセス端末は、ＩＰドメインを通してメッセージサービス情報を配信しようと試行する。ブロック２１４において表されているように、この試行が失敗した場合、アクセス端末は、別のドメイン（例えば、ＮＡＳ）を通してメッセージサービス情報を配信しようと試行してもよい。このケースにおいて、アクセス端末がＣＳドメインに既に登録されていない場合、アクセス端末は、ＣＳドメインに登録（例えば、ＭＳＣに登録）してもよい。例えば、Ｅ−ＵＴＲＡＮ中で、アクセス端末は、ＩＭＳＩアタッチによる、組み合わされた追跡エリア更新を実行してもよい。反対に、ブロック２１６において表されているように、ＩＰドメインを使用すべきでないと表示が示している場合、アクセス端末は、別のドメイン（例えば、ＮＡＳ）を通してメッセージサービス情報を配信しようと試行する。必要ならば、アクセス端末は、そのドメインに登録する。
【００２７】
図３は、選択されたドメインを通してメッセージサービス情報を配信するためにアクセス端末によって実行され得る、いくつかの動作を記述している。ブロック３０２によって表されているように、何らかの時点で、アクセス端末は、メッセージサービス情報を送る必要があると決定する。例えば、アクセス端末上で実行しているアプリケーションは、ネットワークを通して、移動体発信されるＳＭＳメッセージを別のエンティティに送る必要があるかもしれない。
【００２８】
ブロック３０４によって表されているように、アクセス端末は、アクセス端末において維持されている表示に基づいて、メッセージサービス情報を配信するためのドメインを識別する。例えば、先に説明したように、アクセス端末は、ＩＭＳを通してＳＭＳを配信すべきであることを、または、ＮＡＳを通してＳＭＳを配信すべきであることを決定してもよい。ブロック３０６によって表されているように、その後、アクセス端末は、識別したドメインを通してメッセージサービス情報を送る。
【００２９】
いくつかの態様では、アクセス端末におけるドメイン選択は、アクセス端末によって実行される他のドメイン選択動作に依存していることがある。例えば、音声可能なアクセス端末では、ボイスオーバーＩＭＳ（ＶｏＩＭＳ）とＣＳとの間で音声サービスドメインを決定するために、音声ドメイン選択をアクセス端末によって実行してもよい。
【００３０】
いくつかのインプリメンテーションにおいて、アクセス端末によって音声ドメイン選択が実行されることになる場合、この選択を、アクセス端末のＳＭＳコンフィギュレーションとは無関係に実行させることや、ＳＭＳの配信方法選択に対して音声ドメイン選択に優位を与えることが好ましいかもしれない。このようなケースでは、ＳＭＳドメイン選択は、音声ドメイン選択プロセスの結果として選択される無線アクセス技術を変更しないだろう。したがって、このようなアクセス端末において音声ドメイン選択が既に実行されている場合には、ＳＭＳドメイン選択のために、以下で説明するシナリオが存在することがある。
【００３１】
ＩＭＳ登録ステータスに関して、アクセス端末は、ＩＭＳに登録される、または、ＩＭＳに登録されない、のいずれかであってもよい。
【００３２】
現在の無線アクセス技術に関して、アクセス端末は、Ｅ−ＵＴＲＡＮ上でキャンピングしていることがあり（アクセス端末は、既に、進化したパケットシステム（ＥＰＳ）アタッチされている）、または、アクセス端末は、２Ｇ／３Ｇ（例えば、ＧＥＲＡＮまたはＵＴＲＡＮ）上でキャンピングしていることがある。
【００３３】
アクセス端末がＥ−ＵＴＲＡＮ上でキャンピングしているケースでは、アクセス端末に対する国際移動体加入者識別子（ＩＭＳＩ）アタッチステータス（非ＥＰＳサービス）は、以下：１）アクセス端末は、ＩＭＳＩアタッチを試行して失敗した（このケースでは、ＣＳＦＢは許容されない）；２）（例えば、「ＰＳ ＩＭＳ音声のみ」が選択された場合）アクセス端末は、まだ、ＩＭＳＩアタッチを試行していない；３）アクセス端末は、ＩＳＭＳＩアタッチされている、のうちの１つであってもよい。このことを考慮して、図４および図５は、Ｅ−ＵＴＲＡＮまたは２Ｇ／３Ｇ無線アクセス技術上で、それぞれ、キャンピングしているアクセス端末によって実行され得る、サンプルのＳＭＳドメイン選択動作を記述している。
【００３４】
図４は、Ｅ−ＵＴＲＡＮ上でキャンピングしている、ＣＳ／ＣＳＦＢおよびＩＭＳ可能なアクセス端末に対して実行され得る、サンプルのＳＭＳドメイン選択動作を記述している。この例において、アクセス端末は（例えば、音声ドメイン選択プロセスの結果として）ＥＰＳサービスに既にアタッチされていると、仮定する。
【００３５】
ブロック４０２によって表されているように、アクセス端末は、ＩＭＳを通してのＳＭＳを優先して使用するようにアクセス端末が構成されているか否かを決定する。例えば、アクセス端末は、ここで説明したような、維持されている「ＩＭＳを通してのＳＭＳ」という表示の値をチェックしてもよい。
【００３６】
アクセス端末が、ＩＭＳを通してのＳＭＳを使用するように構成されている場合、アクセス端末は、ＩＭＳを通してのＳＭＳを使用しようと試す。したがって、ブロック４０４によって表されているように、アクセス端末は、アクセス端末がＩＭＳに登録されているか否かを決定する。例えば、アクセス端末は、音声ドメイン選択の間にＩＭＳに既に登録されていてもよい。アクセス端末がＩＭＳに登録されている場合、アクセス端末は、ＩＭＳドメインを選択し、ＩＭＳを通してのＳＭＳを使用する（ブロック４０６）。
【００３７】
ブロック４０４において、アクセス端末がＩＭＳに既に登録されていなかった場合、ブロック４０８において、アクセス端末はＩＭＳに登録しようと試行する。登録が成功した場合、アクセス端末は、ＩＭＳを通してのＳＭＳを使用する（ブロック４０６）。
【００３８】
ブロック４０８における、ＩＭＳ登録の試行が失敗した場合、アクセス端末は、ＥＰＳ ＮＡＳ（ＳＧｓ）を通してのＳＭＳを使用しようと試すだろう。したがって、ブロック４１０によって表されているように、アクセス端末は、（例えば、音声ドメイン選択の間に）ＩＭＳＩアタッチを既に試行したか否かを決定する。ＩＭＳＩアタッチを既に試行し、成功している（すなわち、アクセス端末が既に非ＥＰＳサービスにアタッチされている）場合、ブロック４１２によって表されているように、アクセス端末は、ＮＡＳドメインを選択し、ＮＡＳ（ＳＧｓ）を通してのＳＭＳを使用する。
【００３９】
ブロック４１０を再び参照すると、ＩＭＳＩアタッチを既に試行したが失敗している場合、ＳＭＳサービスは利用可能ではない（ブロック４１４）。このケースでは、アクセス端末は、ＳＭＳサービスなしで、（音声ドメイン選択によってなされた無線アクセス技術選択に続いて）Ｅ−ＵＴＲＡＮ中にとどまるだろう。
【００４０】
ブロック４１０において、ＩＭＳＩアタッチをまだ試行していないとアクセス端末が決定した場合、ブロック４１６によって表されているように、アクセス端末は、ＩＭＳＩアタッチにより（「フラグ」ＳＭＳのみにより）、組み合わされた追跡エリア更新（ＴＡＵ）を通して、ＣＳドメインに登録しようと（例えば、ＭＳＣに登録しようと）試行する。この登録の試行が成功した場合、アクセス端末は、ブロック４１２において、ＮＡＳ（ＳＧｓ）を通してのＳＭＳを使用する。そうでない場合には、アクセス端末は、ＳＭＳサービスなしで、Ｅ−ＵＴＲＡＮ中にとどまるだろう（ブロック４１４）。
【００４１】
ブロック４０２を再び参照すると、アクセス端末がＩＭＳを通してのＳＭＳを使用するように構成されていない場合、アクセス端末は、ＮＡＳ（ＳＧｓ）を通してのＳＭＳを使用しようと試すだろう。したがって、動作フローは、先に説明した条件付き動作をアクセス端末が実行するであろう（例えば、必要である場合に、アクセス端末が、ＣＳドメインに登録し得る）ブロック４１０に進むだろう。
【００４２】
図５は、２Ｇ／３Ｇ無線アクセス技術（例えば、ＵＴＲＡＮ）上でキャンピングしている、ＣＳおよびＩＭＳ可能なアクセス端末に対して実行し得る、サンプルのＳＭＳドメイン選択動作を記述する。
【００４３】
ブロック５０２によって表されているように、アクセス端末は、ＩＭＳを通してのＳＭＳを優先して使用するようにアクセス端末が構成されているか否かを決定する。アクセス端末が、ＩＭＳを通してのＳＭＳを使用するように構成されている場合、アクセス端末は、ブロック５０４において、アクセス端末がＩＭＳに登録されているか否かを決定する。アクセス端末が登録されている場合、アクセス端末は、ＩＭＳを通してのＳＭＳを使用する（ブロック５０６）。
【００４４】
ブロック５０４において、アクセス端末がＩＭＳに既に登録されていなかった場合、ブロック５０８において、アクセス端末はＩＭＳに登録しようと試行する。登録が成功した場合、アクセス端末は、ＩＭＳを通してのＳＭＳを使用する（ブロック５０６）。
【００４５】
ブロック５０８における、ＩＭＳ登録の試行が失敗した場合、ブロック５１０によって表されているように、２Ｇ／３Ｇ無線アクセス技術において常に利用可能である、ＮＡＳ（ＣＳシグナリング）を通してのＳＭＳを、アクセス端末は使用するだろう。
【００４６】
ブロック５０２を再び参照して、アクセス端末が、ＩＭＳを通してのＳＭＳを使用するように構成されていない場合、アクセス端末は、ブロック５１０によって表されているように、ＮＡＳを通してのＳＭＳを使用するだろう。
【００４７】
図６および図７をこれから参照すると、いくつかのケースでは、アクセス端末は、移動体発信されるＳＭＳメッセージを配信すべきであるとき、ネットワーク上でキャンピングしているだろうが、ネットワークにアタッチされていないであろう。例えば、音声コール能力を持っておらず、音声ドメイン選択を実行しない、いくつかのアクセス端末（例えば、データカード）が、依然としてＳＭＳを使用するかもしれない。それゆえ、このようなアクセス端末において、ここで教示したようなＳＭＳドメイン選択を用いてもよい。図６および図７は、（例えば、音声ドメイン選択が適用されないときに）アクセス端末がアタッチされていないケースに対して、Ｅ−ＵＴＲＡＮ上でキャンピングしている、ＣＳおよびＩＭＳ可能なアクセス端末に対するドメイン選択をどのように実行し得るかの２つの例を記述している。
【００４８】
図６の例では、アクセス端末が、ＩＭＳを通してのＳＭＳを使用するように構成されていない場合にのみ、アクセス端末は、ＥＰＳ／ＩＭＳＩアタッチを実行する。したがって、ブロック６０２によって表されているように、アクセス端末は、ＩＭＳを通してのＳＭＳを優先して使用するようにアクセス端末が構成されているか否かを決定する。構成されているならば、ブロック６０４によって表されているように、アクセス端末は、ＥＰＳアタッチ（ＥＰＳのみ）を実行して、ＩＭＳを通してのＳＭＳを使用しようと試す。したがって、ブロック６０６によって表されているように、アクセス端末は、ＩＭＳに登録しようとを試行する。登録が成功した場合には、アクセス端末は、ＩＭＳを通してのＳＭＳを使用する（ブロック６０８）。
【００４９】
ブロック６０６における、ＩＭＳ登録の試行が失敗した場合、アクセス端末は、ＮＡＳを通してのＳＭＳを使用しようと試すだろう。したがって、ブロック６１０によって表されているように、アクセス端末は、ＩＭＳＩアタッチによる、組み合わされた追跡エリア更新（ＴＡＵ）を実行する。このアタッチ手順が成功した場合には、アクセス端末は、ブロック６１２によって表されているように、ＮＡＳを通してのＳＭＳを使用する。
【００５０】
ブロック６１０のアタッチ手順が失敗した場合、ブロック６１６によって表されているように、この時点でアクセス端末によって取られるアクションは、インプリメンテーション特有であってもよい。ブロック６１８によって表されているように、いくつかのインプリメンテーションでは、アクセス端末は、別の無線アクセス技術に対して再選択する。ブロック６２０によって表されているように、いくつかのインプリメンテーションでは、アクセス端末は、利用可能なＳＭＳサービスなしで、Ｅ−ＵＴＲＡＮ中にとどまる。
【００５１】
ブロック６０２を再び参照して、アクセス端末が、ＩＭＳを通してのＳＭＳを使用するように構成されていない場合、アクセス端末は、ＮＡＳを通してのＳＭＳを使用しようと試すだろう。このケースでは、アクセス端末は、組み合わされたＥＰＳ／ＩＭＳＩアタッチを実行する。このアタッチ手順が成功した場合には、アクセス端末は、ブロック６１２によって表されているように、ＮＡＳを通してのＳＭＳを使用する。ブロック６１４のアタッチ手順が失敗した場合には、この時点でアクセス端末によって取られるアクションは、（先に説明した）ブロック６１６によって表されているように、インプリメンテーション特有であってもよい。
【００５２】
図７をこれから参照すると、この例では、アクセス端末は、そのＳＭＳコンフィギュレーションにもかかわらず、ＥＰＳ／ＩＭＳＩアタッチを常に実行する。したがって、ブロック７０２によって表されているように、アクセス端末は、最初に、組み合わされたＥＰＳ／ＩＭＳＩアタッチを実行する。
【００５３】
このアタッチ手順が成功した場合には、ブロック７０４によって表されているように、アクセス端末は、ＩＭＳを通してのＳＭＳを優先して使用するようにアクセス端末が構成されているか否かを決定する。構成されているならば、ブロック７０６によって表されているように、アクセス端末は、ＩＭＳに登録しようと試行する。登録が成功した場合には、アクセス端末は、ＩＭＳを通してのＳＭＳを使用する（ブロック７０８）。
【００５４】
ブロック７０６における、ＩＭＳ登録の試行が失敗した場合には、ブロック７１０によって表されているように、アクセス端末は、アクセス端末がＩＭＳＩアタッチされているか否かを決定する。アタッチされているならば、アクセス端末は、ブロック７１２によって表されているように、ＮＡＳを通してのＳＭＳを使用する。
【００５５】
ブロック７１０において、アクセス端末がＩＭＳＩアタッチされていない場合には、ブロック７１４によって表されているように、この時点においてアクセス端末によって取られるアクションは、インプリメンテーション特有であってもよい。ブロック７１６によって表されているように、いくつかのインプリメンテーションでは、アクセス端末が、別の無線アクセス技術に対して再選択する。ブロック７１８によって表されているように、いくつかのインプリメンテーションでは、アクセス端末は、利用可能なＳＭＳサービスなしで、Ｅ−ＵＴＲＡＮ中にとどまる。
【００５６】
ブロック７０４を再び参照すると、アクセス端末が、ＩＭＳを通してのＳＭＳを使用するように構成されていない場合、アクセス端末は、ＮＡＳを通してのＳＭＳを使用しようと試すだろう。それゆえ、動作フローは、アクセス端末が、先に説明した条件付き動作を実行するブロック７１０に進むだろう。
【００５７】
図８は、Ｅ−ＵＴＲＡＮとｃｄｍａ２００技術とを用いてアクセス端末によって実行され得る、サンプルの動作を記述している。このケースでは、Ｅ−ＵＴＲＡＮ中のアクセス端末が、ＩＭＳを通してのＳＭＳを、または、Ｓ１０２を通してのＳＭＳを使用することがある。Ｓ１０２を通してのＳＭＳは、アクセス端末とＭＭＥとの間ではｃｄｍａ２０００プロトコルデータユニット（ＰＤＵ）を使用して、そして、ＭＭＥとＣＤＭＡ １ｘインターワーキング機能との間ではＳ１０２トンネルを使用して達成される。
【００５８】
この例は、ブロック８０２において始まり、１ｘ／ＬＴＥおよびＩＭＳ可能なアクセス端末は、Ｅ−ＵＴＲＡＮ上でキャンピングしているが、アタッチされていない。アクセス端末が既にアタッチされていた場合には、動作フローは、ブロック８０４において始まるだろう。
【００５９】
ブロック８０２によって表されているように、アクセス端末が、ＥＰＳアタッチを実行する。このアタッチ手順が成功した場合、ブロック８０４によって表されているように、アクセス端末は、ＩＭＳを通してのＳＭＳを優先して使用するようにアクセス端末が構成されているか否かを決定する。構成されているならば、ブロック８０６によって表されているように、アクセス端末は、ＩＭＳに登録しようと試行する。登録が成功した場合には、アクセス端末は、ＩＭＳを通してのＳＭＳを使用する（ブロック８０８）。
【００６０】
ブロック８０６における、ＩＭＳ登録の試行が失敗した場合には、ブロック８１０によって表されているように、アクセス端末は、ＣＤＭＡ １ｘの登録を試行する。登録が成功した場合には、アクセス端末は、ブロック８１２によって表されているように、Ｓ１０２を通してのＳＭＳを使用する。
【００６１】
ブロック８１０において、アクセス端末がＣＤＭＡ １ｘに登録することができない場合、ブロック８１４によって表されているように、この時点でアクセス端末によって取られるアクションは、インプリメンテーション特有であってもよい。ブロック８１６によって表されているように、いくつかのインプリメンテーションでは、アクセス端末は、別の無線アクセス技術に対して再選択する。ブロック８１８によって表されているように、いくつかのインプリメンテーションでは、アクセス端末は、利用可能なＳＭＳサービスなしで、Ｅ−ＵＴＲＡＮ中にとどまる。
【００６２】
ブロック８０４を再び参照すると、アクセス端末がＩＭＳを通してのＳＭＳを使用するように構成されていない場合、アクセス端末は、Ｓ１０２を通してのＳＭＳを使用しようと試すだろう。それゆえ、動作フローは、アクセス端末が、先に説明した条件付き動作を実行するブロック８１０に進むだろう。
【００６３】
図９は、例えば、ＩＰドメイン（例えば、ＩＭＳ）を通してのＳＭＳを好ましくは使用するようにアクセス端末が構成されていないケースにおいて用いられ得るインプリメンテーションを図示している。このケースでは、アクセス端末は、他のトラフィック（例えば、図９の例では、音声トラフィック）に対して使用するのと同じドメインをＳＭＳに対して使用しようと試行してもよい。
【００６４】
ブロック９０２によって表されているように、何らかの時点で、アクセス端末は、アクセス端末がメッセージサービス情報を送信する必要があると決定する。例えば、先に説明したように、移動体発信されるＳＭＳメッセージは、ネットワークを通して別のエンティティに設定される必要があるかもしれない。
【００６５】
ブロック９０４によって表されているように、アクセス端末は、音声トラフィックに対して選択されているドメインを識別する。例えば、アクセス端末は、音声トラフィックに対して、ＮＡＳを通してのＳＭＳを使用していることを決定してもよい。
【００６６】
ブロック９０６によって表されているように、アクセス端末は、識別したドメインを通してメッセージサービス情報を配信しようと試行する。ブロック９０８において表されているように、この試行が失敗した場合に、アクセス端末は、別のドメイン（例えば、ＩＭＳ）を通してメッセージサービス情報を配信しようと試行してもよい。
【００６７】
先に説明したように、異なるタイプの無線技術を使用するアクセス端末は、ＳＭＳを配信するために、ここでの教示を使用してもよい。図１０−図１３は、異なる無線技術によって提供される異なるドメインを通してどのようにＳＭＳを配信し得るかを、簡略化した態様で図示している。
【００６８】
図１０は、Ｅ−ＵＴＲＡＮシステム１０００（すなわち、ＬＴＥネットワーク）の簡略化した例を図示している。ここで、ユーザ機器（すなわち、アクセス端末）は、Ｅ−ＵＴＲＡ Ｕｕインターフェースを通して、ｅノードＢとワイヤレス信号により通信する。
【００６９】
ｅノードＢは、Ｓ１−ＭＭＥインターフェースを通して、ＭＭＥと通信する。加えて、この例では、ＭＭＥはまた、ＳＧｓインターフェースを通して、ＭＳＣサーバと通信する。それゆえ、（破線１００２によって表されているような）ＮＡＳドメインシグナリングは、ｅノードＢと、ＭＭＥと、ＭＳＣサーバとを通して、ユーザ機器（ＵＥ）に対して利用可能である。
【００７０】
ｅノードＢはまた、Ｓ１−Ｕインターフェースを通して、担当ゲートウェイ（ＳＧＷ）と通信する。次に、ＳＧＷが、Ｓ５またはＳ８インターフェースを通して、パケットデータネットワークゲートウェイ（ＰＧＷ）と通信する。ＰＧＷは、ＳＧｉインターフェースを通して、ＩＰマルチメディアサブシステム（ＩＭＳ）のようなパケットデータネットワークエンティティと通信する。したがって、（破線１００４によって表されているような）ＩＭＳドメインシグナリングは、ｅノードＢと、ＳＧＷと、ＰＧＷと、ＩＭＳとを通るＩＭＳトンネルを通して、ＵＥに対して利用可能である。
【００７１】
図１１は、ＵＴＲＡＮシステム１１００の簡略化した例を図示している。このケースでは、ＵＥは、ＵＴＲＡ Ｕｕインターフェースを通して、ノードＢとワイヤレス信号により通信する。次に、ノードＢが、ＳＧＳＮと通信する。
【００７２】
ＳＧＳＮは、Ｇｓインターフェースを通して、ＭＳＣサーバと通信する。したがって、（破線１１０２によって表されているような）ＣＳドメインシグナリングは、ノードＢと、ＳＧＳＮと、ＭＳＣサーバとを通して、ＵＥに対して利用可能である。
【００７３】
ＳＧＳＮまた、Ｇｎインターフェースを通して、ゲートウェイＧＰＲＳサポートノード（ＧＧＳＮ）と通信する。次に、ＧＧＳＮが、Ｇｉインターフェースを通して、ＩＰマルチメディアサブシステム（ＩＭＳ）のようなパケットデータネットワークエンティティと通信する。したがって、（破線１１０４によって表されているような）ＩＭＳドメインシグナリングは、ノードＢと、ＳＧＳＮと、ＧＧＳＮと、ＩＭＳとを通るＩＭＳトンネルを通して、ＵＥに対して利用可能である。
【００７４】
図１２は、ＧＥＲＡＮシステム１２００の簡略化した例を図示している。ここで、アクセス端末（ＡＴ）は、ワイヤレス信号により、基地局トランシーバ（ＢＴＳ）と通信している。次に、ＢＴＳは、基地局制御装置（ＢＳＣ）と通信する。
【００７５】
ＢＳＣは、Ａインターフェースを通して、ＭＳＣサーバと通信する。したがって、（破線１２０２によって表されているような）ＣＳドメインシグナリングは、ＢＴＳと、ＢＳＣと、ＭＳＣサーバとを通して、ＵＥに対して利用可能である。
【００７６】
ＢＳＣはまた、ＳＧＳＮと通信する。ＳＧＳＮは、ＧＧＳＮと通信し、ＧＧＳＮは、次に、ＩＰマルチメディアサブシステム（ＩＭＳ）のようなパケットデータネットワークエンティティと通信する。したがって、（破線１２０４によって表されているような）ＩＭＳドメインシグナリングは、ＢＴＳと、ＢＳＣと、ＳＧＳＮと、ＧＧＳＮと、ＩＭＳとを通るＩＭＳトンネルを通して、ＡＴに対して利用可能である。
【００７７】
図１３は、ｃｄｍａ２０００の接続性を提供する、Ｅ−ＵＴＲＡＮシステム１３００の簡略化した例を図示している。図１０について先に記述したものと類似した態様で、ＵＥは、ｅノードＢとワイヤレス信号により通信し、（破線１３０４によって表されているような）ＩＭＳドメインシグナリングは、ｅノードＢ、ＳＧＷと、ＰＧＷと、ＩＭＳとを通るＩＭＳトンネルを通して、ＵＥに対して利用可能である。
【００７８】
しかしながら、このケースでは、ＵＥとＭＭＥとの間ではｃｄｍａ２０００ ＰＤＵを通して、ＭＭＥと１ｘインターワーキング機能との間ではＳ１０２トンネルを通して、（破線１３０２によって表されているような）ＳＭＳドメインシグナリングを提供する。
【００７９】
ここでの教示の使用を通して、さまざまな利点を達成することができる。例えば、単一のコンフィギュレーションパラメータを使用して、ＳＭＳドメイン選択を達成することができる。また、音声ドメイン選択とＳＭＳドメイン選択とを切り離すことができ、これにより、ドメイン選択手順を簡略化する。さらには、さまざまな無線アクセス技術に対して、アクセス端末の動きを規定してもよい。
【００８０】
図１４は、いくつかのサンプルのコンポーネントを図示している。このコンポーネントは、ここで教示したようなメッセージサービス動作を実行するために、（例えば、アクセス端末１０２に対応している）アクセス端末１４０２のようなノードと、（例えば、ホームＰＬＭＮの）ネットワークエンティティ１４０４との中に組み込んでもよい。実際に、記述したコンポーネントはまた、通信システム中の他のノードの中に組み込んでもよい。例えば、システム中の他のノードは、類似したコンフィギュレーション機能性を提供するために、ネットワークエンティティ１４０４について記述したものに類似したコンポーネントを含んでいてもよい。また、所定のノードは、記述したコンポーネントのうちの１つ以上のものを含んでいてもよい。例えば、アクセス端末は、複数のトランシーバコンポーネントを含んでいてもよく、これにより、アクセス端末は、複数の周波数上で動作することが、および／または、異なる技術を通して通信することが可能になる。
【００８１】
図１４中で示されているように、アクセス端末１４０２は、他のノードと通信するための、トランシーバ１４０６を備えている。トランシーバ１４０６は、信号（例えば、ＳＭＳメッセージのようなメッセージサービス情報）を送るための送信機１４０８と、信号（例えば、メッセージサービス表示）を受信するための受信機１４１０とを備えている。
【００８２】
ネットワークエンティティ１４０４は、他のノード（例えば、他のネットワークノード）と通信するための、ネットワークインターフェース１４１２を備えている。例えば、ネットワークインターフェース１４１２は、ワイヤーベースバックホールまたはワイヤレスバックホールを通して、１つ以上のネットワークノードと通信するように構成させていてもよい。いくつかの態様では、ネットワークインターフェース１４１２は、ワイヤーベースまたはワイヤレス通信をサポートするように構成されているトランシーバとして実現してもよい。この目的のために、（例えば、メッセージサービス表示を送るための）送信機コンポーネント１４１４と、（例えば、メッセージを受信するための）受信機コンポーネント１４１６とを備えているとして、ネットワークインターフェース１４１２を図示している。
【００８３】
アクセス端末１４０２およびネットワークエンティティ１４０４はまた、ここで教示したような、メッセージサービス動作に関連して使用され得る他のコンポーネントを備えている。例えば、アクセス端末１４０２は、メッセージサービス関連動作を実行する（例えば、メッセージサービス情報を配信する、ドメインを識別する、ドメインを通してメッセージサービス情報を配信するように試行する）ための、そして、ここで教示したような他の関連機能性を提供するためのメッセージサービスプロセッサ１４１８を備えている。アクセス端末１４０２はまた、（例えば、メッセージサービス情報を送ることにすることを決定する）通信関連動作を実行するための、そして、ここで教示したような他の関連機能性を提供するための、通信プロセッサ１４２２を備えている。加えて、アクセス端末１４０２は、ここで教示したように、情報を維持する（例えば、メッセージサービス表示を維持する）ための、そして、他の関連する機能性を提供するための、（例えば、メモリデバイスを備える、または、メモリデバイスとインターフェースする）メモリコンポーネント１４２４を備えている。ネットワークエンティティ１４０４は、ここで教示したように、メッセージサービス関連動作を実行する（例えば、メッセージサービス表示を発生させる）ための、そして、他の関連機能性を提供するための、メッセージサービスプロセッサ１４２０を備えている。
【００８４】
いくつかのインプリメンテーションにおいて、図１４のコンポーネントは、（例えば、それぞれが、この機能性を提供するために、プロセッサによって使用される情報またはコードを記憶するためのデータメモリを使用するおよび／または組み込んでいる）１つ以上のプロセッサ中で実現してもよい。例えば、ブロック１４０６の機能性の一部と、ブロック１４１８、１４２２、および１４２４の機能性の一部またはすべては、アクセス端末のプロセッサと、アクセス端末のデータメモリとによって（例えば、適切なコードの実行によって、および／または、プロセッサコンポーネントの適切なコンフィギュレーションによって）実現してもよい。加えて、ブロック１４１２の機能性の一部と、ブロック１４２０の機能性の一部またはすべては、ネットワークエンティティのプロセッサと、ネットワークエンティティのデータメモリとによって（例えば、適切なコードの実行によって、および／または、プロセッサコンポーネントの適切なコンフィギュレーションによって）実現してもよい。
【００８５】
ここでの教示は、複数のワイヤレスアクセス端末に対する通信を同時にサポートするワイヤレス多元接続通信システム中で用いてもよい。ここで、それぞれの端末は、フォワードリンク上での、および、リバースリンク上での送信を通して、１つ以上のアクセスポイントと通信してもよい。フォーワードリンク（すなわち、ダウンリンク）は、アクセスポイントから端末への通信リンクのことを意味し、リバースリンク（すなわち、アップリンク）は、端末からアクセスポイントへの通信リンクのことを意味する。この通信リンクは、単一入力単一出力システム、複数入力複数出力（ＭＩＭＯ）システム、または他の何らかのタイプのシステムによって確立されてもよい。
【００８６】
ＭＩＭＯシステムは、データ送信のために、複数（ＮT）本の送信アンテナと、複数（ＮR）本の受信アンテナとを用いる。ＮT本の送信アンテナとＮR本の受信アンテナとによって形成されるＭＩＭＯチャネルは、ＮS個の独立チャネルに分解されてもよく、このＮS個の独立チャネルはまた、空間チャネルとも呼ばれ、ここでは、ＮS≦ｍｉｎ｛ＮT，ＮR｝である。ＮS個の独立チャネルのそれぞれは、次元に対応する。複数の送信および受信アンテナによって生成されるさらなる次元が利用される場合、ＭＩＭＯシステムは、向上した性能（例えば、より高いスループット、および／または、より高い信頼性）を提供することができる。
【００８７】
ＭＩＭＯシステムは、時分割デュプレックス（ＴＤＤ）および周波数分割デュプレックス（ＦＤＤ）をサポートしてもよい。ＴＤＤシステムでは、相互関係の原理によって、リーバスリンクチャネルからのフォワードリンクチャネルの推定が可能になるように、フォワードおよびリバースリンク送信は、同じ周波数領域上でなされる。これは、複数のアンテナがアクセスポイントにおいて利用可能であるときに、アクセスポイントが、フォワードリンク上で、送信ビーム形成の利得を抽出することを可能にする。
【００８８】
図１５は、サンプルのＭＩＭＯシステム１５００の、ワイヤレスデバイス１５１０（例えば、アクセスポイント）とワイヤレスデバイス１５５０（例えば、アクセス端末）とを図示している。デバイス１５１０では、多数のデータストリームに対するトラフィックデータを、データソース１５１２から送信（ＴＸ）データプロセッサ１５１４に提供する。その後、それぞれのデータストリームを、各送信アンテナを通して送信してもよい。
【００８９】
ＴＸデータプロセッサ１５１４は、そのデータストリームに対して選択された特定のコーディングスキームに基づいて、それぞれのデータストリームに対するトラフィックデータをフォーマットし、コード化し、および、インターリーブし、コード化したデータを提供する。それぞれのデータストリームに対するコード化したデータは、ＯＦＤＭ技術を使用して、パイロットデータにより多重化してもよい。パイロットデータは、典型的に、既知の態様で処理される既知のデータパターンであり、チャネル応答を推定するために、受信機システムにおいて使用してもよい。その後、それぞれのデータストリームに対する多重化されたパイロットおよびコード化データを、そのデータストリームに対して選択された特定の変調スキーム（例えば、ＢＰＳＫ、ＱＳＰＫ、Ｍ−ＰＳＫ、または、Ｍ−ＱＡＭ）に基づいて、変調（すなわち、シンボルマッピング）し、変調シンボルを提供する。それぞれのデータストリームに対する、データレート、コーディング、および、変調は、プロセッサ１５３０により実行される命令により決定してもよい。データメモリ１５３２は、デバイス１５１０のプロセッサ１５３０または他のコンポーネントによって使用される、プログラムコードや、データや、他の情報を記憶してもよい。
【００９０】
その後、すべてのデータストリームに対する変調シンボルを、ＴＸ ＭＩＭＯプロセッサ１５２０に提供し、ＴＸ ＭＩＭＯプロセッサ１５２０は、（例えば、ＯＦＤＭのために）変調シンボルをさらに処理してもよい。ＴＸ ＭＩＭＯプロセッサ１５２０は、その後、ＮT個の変調シンボルストリームをＮT個のトランシーバ（ＸＣＶＲ）１５２２Ａないし１５２２Ｔに提供する。いくつかの態様では、ＴＸ ＭＩＭＯプロセッサ１５２０は、データストリームのシンボルと、そこからシンボルが送信されているアンテナとに、ビーム形成の重みを適用する。
【００９１】
それぞれのトランシーバ１５２２は、各シンボルストリームを受け取って処理し、１つ以上のアナログ信号を提供し、アナログ信号をさらに調整して（例えば、増幅して、フィルタリングして、および、アップコンバートして）、ＭＩＭＯチャネルを通しての送信に適した変調された信号を提供する。トランシーバ１５２２Ａないし１５２２ＴからのＮT個の変調信号は、その後、ＮT本のアンテナ１５２４Ａないし１５２４Ｔから、それぞれ、送信される。
【００９２】
デバイス１５５０において、ＮR本のアンテナ１５５２Ａないし１５５２Ｒによって、送信変調信号を受信し、それぞれのアンテナ１５５２から受信した信号は、各トランシーバ（ＸＣＶＲ）１５５４Ａないし１５５４Ｒに提供される。それぞれのトランシーバ１５５４は、各受信信号を調整し（例えば、フィルタリングし、増幅し、および、ダウンコンバートし）、調整した信号をデジタル化して、サンプルを提供し、サンプルをさらに処理して、対応する「受信した」シンボルストリームを提供する。
【００９３】
その後、受信（ＲＸ）データプロセッサ１５６０は、特定の受信機処理技術に基づいて、ＮR個のトランシーバ１５５４からＮR個の受信したシンボルストリームを受け取って処理し、ＮT個の「検出した」シンボルストリームを提供する。ＲＸデータプロセッサ１５６０は、その後、それぞれの検出したシンボルストリームを復調し、デインターリーブし、および、デコードし、データストリームに対するトラフィックデータを復元する。ＲＸデータプロセッサ１５６０による処理は、デバイス１５１０における、ＴＸ ＭＩＭＯプロセッサ１５２０とＴＸデータプロセッサ１５１４とにより実行される処理と相補的である。
【００９４】
プロセッサ１５７０は、どのプリコーディング行列を使用するかを周期的に決定する（以下で説明する）。プロセッサ１５７０は、行列インデックス部分とランク値部分とを含むリバースリンクメッセージを構築する。データメモリ１５７２は、デバイス１５５０のプロセッサ１５７０または他のコンポーネントによって使用される、プログラムコードと、データと、他の情報とを記憶してもよい。
【００９５】
リバースリンクメッセージは、通信リンクおよび／または受信したデータストリームに関する、さまざまなタイプの情報を含んでいてもよい。リバースリンクメッセージは、その後、データソース１５３６から多数のデータストリームに対するトラフィックデータも受け取るＴＸデータプロセッサ１５３８により処理し、変調器１５８０により変調し、トランシーバ１５５４Ａないし１５５４Ｒにより調整し、デバイス１５１０に返信する。
【００９６】
デバイス１５１０において、デバイス１５５０からの変調信号は、デバイス１５５０により送信されたリバースリンクメッセージを抽出するために、アンテナ１５２４により受信され、トランシーバ１５２２により調整され、復調器（ＤＥＭＯＤ）１５４０により復調され、ＲＸデータプロセッサ１５４２により処理される。その後、プロセッサ１５３０は、ビーム形成の重みを決定するために、どのプリコーディング行列を使用するかを決定し、そして、抽出したメッセージを処理する。
【００９７】
図１５はまた、通信コンポーネントが、ここで教示されたようなメッセージ制御動作を実行する１つ以上のコンポーネントを備えていてもよいことを図示している。例えば、メッセージ制御コンポーネント１５９２は、デバイス１５５０のプロセッサ１５７０および／または他のコンポーネントと協働し、（例えば、デバイス１５１０を通して）メッセージサービス情報を別のデバイスに送ってもよい。それぞれのデバイス１５１０および１５５０では、記述したコンポーネントのうちの２つ以上の機能性を単一のコンポーネントによって提供してもよいことを正しく認識すべきである。例えば、単一の処理コンポーネントが、メッセージ制御コンポーネント１５９２およびプロセッサ１５７０の機能性を提供してもよい。
【００９８】
ここでの教示は、さまざまなタイプの通信システムおよび／またはシステムコンポーネントの中に組み込んでもよい。いくつかの態様では、利用可能なシステムリソースを共有することによって（例えば、帯域幅、送信電力、コーディング、インターリーブ等のうちの１つ以上を指定することによって）、複数のユーザとの通信をサポートすることができる多元接続システム中で、ここでの教示を用いてもよい。例えば、ここで記述する技術を、以下の技術：コード分割多元接続（ＣＤＭＡ）システム、多重搬送波ＣＤＭＡ（ＭＣＣＤＭＡ）、ワイドバンドＣＤＭＡ（Ｗ−ＣＤＭＡ）、高速パケットアクセス（ＨＳＰＡ、ＨＳＰＡ＋）システム、時分割多元接続（ＴＤＭＡ）システム、周波数分割多元接続（ＦＤＭＡ）システム、単一搬送波ＦＤＭＡ（ＳＣ−ＦＤＭＡ）システム、直交周波数分割多元接続（ＯＦＤＭＡ）システム、または他の多元接続技術のうちの任意のものの１つに、または、これらのものを組み合わせたものに適用してもよい。ここでの技術を用いているワイヤレス通信システムは、ＩＳ−９５や、ｃｄｍａ２０００や、ＩＳ−８５６や、Ｗ−ＣＤＭＡや、ＴＤＳＣＤＭＡや、他の標準規格のような１つ以上の標準規格を実現するように設計してもよい。ＣＤＭＡネットワークは、ユニバーサル地上無線アクセス（ＵＴＲＡ）、ｃｄｍａ２０００、または他の何らかの技術のような無線技術を実現してもよい。ＵＴＲＡは、Ｗ−ＣＤＭＡおよび低チップレート（ＬＣＲ）を含む。ｃｄｍａ２０００技術は、ＩＳ−２０００、ＩＳ−９５、およびＩＳ−８５６標準規格をカバーする。ＴＤＭＡネットワークは、グローバルシステムフォーモバイル通信（ＧＳＭ）（登録商標）のような無線技術を実現してもよい。ＯＦＤＭＡネットワークは、進化したＵＴＲＡ（Ｅ−ＵＴＲＡ）や、ＩＥＥＥ８０２．１１や、ＩＥＥＥ８０２．１６や、ＩＥＥＥ８０２．２０や、フラッシュＯＦＤＭ等のような無線技術を実現してもよい。ＵＴＲＡ、Ｅ−ＵＴＲＡ、およびＧＳＭは、ユニバーサル移動体電気通信システム（ＵＭＴＳ）の一部である。ここでの教示は、３ＧＰＰロングタームエボリューション（ＬＴＥ）システム、ウルトラ移動体ブロードバンド（ＵＭＢ）システム、他のタイプのシステム中で実現してもよい。ＬＴＥは、Ｅ−ＵＴＲＡを使用するリリースのＵＭＴＳである。ＵＴＲＡや、Ｅ−ＵＴＲＡや、ＧＳＭや、ＵＭＴＳや、ＬＴＥは、「第３世代パートナーシッププロジェクト」（３ＧＰＰ）と名付けられている機関による文書中に記述されている一方で、ｃｄｍａ２０００は、「第３世代パートナーシッププロジェクト２」（３ＧＰＰ２）と名付けられている機関による文書中に記述されている。３ＧＰＰ専門用語を使用して、開示のいくつかの態様を記述したが、ここでの教示は、３ＧＰＰ（例えば、Ｒｅ１９９、Ｒｅ１５、Ｒｅ１６、Ｒｅ１７）技術とともに、３ＧＰＰ２（例えば、１ｘＲＴＴ、１ｘＥＶ−ＤＯ Ｒｅ１０、ＲｅｖＡ、ＲｅｖＢ）技術と、他の技術とに適用してもよいことを理解すべきである。
【００９９】
ここでの教示は、さまざまな装置（例えば、ノード）の中に組み込んでもよい（例えば、さまざまな装置（例えば、ノード）内で実現する、または、さまざまな装置（例えば、ノード）によって実行される）。いくつかの態様では、ここでの教示にしたがって実現されるノード（例えば、ワイヤレスノード）は、アクセスポイントまたはアクセス端末を含んでいてもよい。
【０１００】
例えば、アクセス端末は、ユーザ機器、加入者局、加入者ユニット、移動局、移動体、移動体ノード、遠隔局、遠隔端末、ユーザ端末、ユーザエージェント、ユーザデバイス、または他の何らかの専門用語を含んでいてもよく、ユーザ機器、加入者局、加入者ユニット、移動局、移動体、移動体ノード、遠隔局、遠隔端末、ユーザ端末、ユーザエージェント、ユーザデバイス、または他の何らかの専門用語として実現してもよく、あるいは、ユーザ機器、加入者局、加入者ユニット、移動局、移動体、移動体ノード、遠隔局、遠隔端末、ユーザ端末、ユーザエージェント、ユーザデバイス、または他の何らかの専門用語として知られていてもよい。いくつかのインプリメンテーションでは、アクセス端末は、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有しているハンドヘルドデバイス、またはワイヤレスモデムに接続されている他の何らかの適した処理デバイスを含んでいてもよい。したがって、ここで教示した１つ以上の態様は、電話機（例えば、セルラ電話機またはスマートフォン）、コンピュータ（例えば、ラップトップ）、ポータブル通信デバイス、ポータブルコンピューティングデバイス（例えば、パーソナルデータアシスタント）、エンターテイメントデバイス（例えば、音楽デバイス、ビデオデバイス、または衛星無線）、グローバルポジショニングシステムデバイス、またはワイヤレス媒体を通して通信するように構成されている他の何らかの適したデバイスの中に組み込まれていてもよい。
【０１０１】
アクセスポイントは、ノードＢ、ｅノードＢ、無線ネットワーク制御装置（ＲＮＣ）、基地局（ＢＳ）、無線基地局（ＲＢＳ）、基地局制御装置（ＢＳＣ）、基地トランシーバ局（ＢＴＳ）、トランシーバ機能（ＴＦ）、無線トランシーバ、無線ルータ、ベーシックなサービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または他の類似した専門用語を含んでいてもよく、ノードＢ、ｅノードＢ、無線ネットワーク制御装置（ＲＮＣ）、基地局（ＢＳ）、無線基地局（ＲＢＳ）、基地局制御装置（ＢＳＣ）、基地トランシーバ局（ＢＴＳ）、トランシーバ機能（ＴＦ）、無線トランシーバ、無線ルータ、ベーシックなサービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または他の類似した専門用語として実現してもよく、あるいは、ノードＢ、ｅノードＢ、無線ネットワーク制御装置（ＲＮＣ）、基地局（ＢＳ）、無線基地局（ＲＢＳ）、基地局制御装置（ＢＳＣ）、基地トランシーバ局（ＢＴＳ）、トランシーバ機能（ＴＦ）、無線トランシーバ、無線ルータ、ベーシックなサービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または他の類似した専門用語として知られていてもよい。
【０１０２】
いくつかの態様では、ノード（例えば、アクセスポイント）は、通信システムのためのアクセスノードを含んでいてもよい。このようなアクセスノードは、例えば、ネットワークへの、ワイヤード通信リンクまたはワイヤレス通信リンクを通して、ネットワークに対する接続性またはネットワークへの接続性（例えば、インターネットまたはセルラネットワークのようなワイドエリアネットワーク）を提供してもよい。したがって、アクセスノードは、別のノード（例えば、アクセス端末）が、ネットワークまたは他の何らかの機能性にアクセスすることを可能にしてもよい。加えて、ノードの一方がポータブルであってもよく、または、ノードの両方ともポータブルであってもよく、あるいは、いくつかのケースでは、相対的に、ポータブルでなくてもよいことを正しく認識すべきである。
【０１０３】
また、ワイヤレスノードは、非ワイヤレスの態様で（例えば、ワイヤード接続を通して）情報を送信および／または受信することができてもよいことを正しく認識すべきである。したがって、ここで説明したような受信機および送信機は、非ワイヤレス媒体を通して通信するための、適切な通信インターフェースコンポーネント（例えば、電気または光インターフェースコンポーネント）を備えていてもよい。
【０１０４】
ワイヤレスノードは、何らかの適したワイヤレス通信技術に基づいている１つ以上のワイヤレス通信リンクを通して、またはそうでなければ、何らかの適したワイヤレス通信技術をサポートする１つ以上のワイヤレス通信リンクを通して通信してもよい。例えば、いくつかの態様では、ワイヤレスノードは、ネットワークに関係していてもよい。いくつかの態様では、ネットワークは、ローカルエリアネットワークまたはワイドエリアネットワークを含んでいてもよい。ワイヤレスデバイスは、ここで説明したもの（例えば、ＣＤＭＡや、ＴＤＭＡや、ＯＦＤＭや、ＯＦＤＭＡや、ＷｉＭＡＸや、Ｗｉ−Ｆｉ等）のような、さまざまなワイヤレス通信技術、プロトコル、または標準規格のうちの１つ以上をサポートしてもよく、またはそうでなければ使用してもよい。同様に、ワイヤレスノードは、さまざまな対応する変調または多重化スキームのうちの１つ以上をサポートしても、またはそうでなければ使用してもよい。したがって、ワイヤレスノードは、上記のワイヤレス通信技術または他のワイヤレス通信技術を使用して、１つ以上のワイヤレス通信リンクを通して確立および通信するための適切なコンポーネント（例えば、エアインターフェース）を備えていてもよい。例えば、ワイヤレスノードは、ワイヤレス媒体を通しての通信を促進するさまざまなコンポーネント（例えば、信号発生器および信号プロセッサ）を備えていてもよい、送信機および受信機コンポーネントに関係するワイヤレストランシーバを備えていてもよい。
【０１０５】
いくつかの態様では、（例えば、付随する図面の１つ以上に関して）ここで記述した機能性は、添付した特許請求の範囲中で同様に指定された、機能性「のための手段」に対応していてもよい。図１６−図１９を参照すると、装置１６００、１７００、１８００、および１９００は、一連の相関機能モジュールとして表されている。ここで、表示維持モジュール１６０２は、少なくとも、いくつかの態様では、例えば、ここで説明したようなメモリコンポーネントに対応していてもよい。メッセージサービス情報配信モジュール１６０４は、少なくとも、いくつかの態様では、例えば、ここで説明したようなメッセージサービスプロセッサに対応していてもよい。表示受信モジュール１６０６は、少なくとも、いくつかの態様では、例えば、ここで説明したような受信機に対応していてもよい。表示発生モジュール１７０２は、少なくとも、いくつかの態様では、例えば、ここで説明したようなメッセージサービスプロセッサに対応していてもよい。表示送信モジュール１７０４は、少なくとも、いくつかの態様では、例えば、ここで説明したような送信機に対応していてもよい。送信するメッセージサービス情報決定モジュール１８０２は、少なくとも、いくつかの態様では、例えば、ここで説明したような通信プロセッサに対応していてもよい。ドメイン識別モジュール１８０４は、少なくとも、いくつかの態様では、例えば、ここで説明したようなメッセージサービスプロセッサに対応していてもよい。メッセージサービス情報配信モジュール１８０６は、少なくとも、いくつかの態様では、例えば、ここで説明したようなメッセージサービスプロセッサに対応していてもよい。送信するメッセージサービス情報決定モジュール１９０２は、少なくとも、いくつかの態様では、例えば、ここで説明したような通信プロセッサに対応していてもよい。ドメイン識別モジュール１９０４は、少なくとも、いくつかの態様では、例えば、ここで説明したようなメッセージサービスプロセッサに対応していてもよい。識別したドメインを通してのメッセージサービス情報配信試行モジュール１９０６は、少なくとも、いくつかの態様では、例えば、ここで説明したようなメッセージサービスプロセッサに対応していてもよい。別のドメインを通してのメッセージサービス情報配信試行モジュール１９０８は、少なくとも、いくつかの態様では、例えば、ここで説明したようなメッセージサービスプロセッサに対応していてもよい。
【０１０６】
図１６−図１９のモジュールの機能性は、ここでの教示に一致したさまざまな方法で実現してもよい。いくつかの態様では、これらのモジュールの機能性は、１つ以上の電気コンポーネントとして実現してもよい。いくつかの態様では、これらのブロックの機能性は、１つ以上のプロセッサコンポーネントを含む処理システムとして実現してもよい。いくつかの態様では、例えば、１つ以上の集積回路（例えば、ＡＳＩＣ）の少なくとも一部を使用して、これらのモジュールの機能性を実現してもよい。ここで説明したように、集積回路は、プロセッサ、ソフトウェア、他の関連コンポーネント、またはこれらの何らかの組み合わせを含んでいてもよい。これらのモジュールの機能性はまた、ここで教示したような他の何らかの態様で実現してもよい。いくつかの態様では、図１６−図１９中のあらゆる破線のブロックのうちの１つ以上のものは、オプションである。
【０１０７】
「第１の」「第２の」等のような指定を用いた、ここでのエレメントに対する何らかの言及は、一般的に、これらのエレメントの量または順序を制限していないことを理解すべきである。むしろ、これらの指定は、ここでは、２つ以上のエレメント間またはエレメントのインスタンスを区別する便利な方法として使用されていることがある。したがって、第１および第２のエレメントに対する言及は、ここでは、２つだけのエレメントを用いていることがあることを、または、第１のエレメントは、第２のエレメントに何らかの態様で先行しなければならないことを意味しているわけではない。また、記述がない限り、１組のエレメントは、１つ以上のエレメントを含んでいてもよい。加えて、記述または特許請求の範囲中で使用されている「Ａ、Ｂ、またはＣのうちの少なくとも１つ」という形態の専門用語は、「ＡまたはＢまたはＣまたはこれらのエレメントの任意の組み合わせ」を意味する。
【０１０８】
さまざまな異なるテクノロジーおよび技術のうちの任意のものを使用して、情報および信号を表してもよいことを、当業者は理解するだろう。例えば、上記の記述全体を通して参照した、データ、命令、コマンド、情報、信号、ビット、シンボル、およびチップは、電圧、電流、電磁波、磁気フィールドまたは微粒子、光学フィールドまたは光学微粒子、あるいはこれらの任意の組み合わせによって表されてもよい。
【０１０９】
ここで開示した態様に関連して記述した、さまざまな例示的な論理ブロック、モジュール、プロセッサ、手段、回路、およびアルゴリズムステップのうちの任意のものは、電子ハードウェア（例えば、ソースコーディングまたは他の何らかの技術を使用して設計され得る、デジタルインプリメンテーション、アナログインプリメンテーション、または２つのものを組み合わせたもの）として、（ここでは、便宜のため、「ソフトウェア」または「ソフトウェアモジュール」と呼ぶことがある）命令を組み込んでいるさまざまな形態のプログラムまたは設計コードとして、あるいは両方のものを組み合わせたものとして実現してもよいことを、当業者はさらに正しく認識するだろう。ハードウェアおよびソフトウェアのこの互換性を明確に図示するために、さまざまな例示的なコンポーネント、ブロック、モジュール、回路、およびステップは、一般的に、これらの機能性の観点から、先に記述した。このような機能性が、ハードウェアまたはソフトウェアとして実現されるか否かは、システム全体に課せられている、特定のアプリケーションおよび設計制約に依存する。熟練者が、それぞれの特定のアプリケーションの方法を変えて、記述した機能性を実現するかもしれないが、このようなインプリメンテーションの決定は、本開示の範囲から逸脱を生じさせるとして解釈されるべきでない。
【０１１０】
ここで開示した様態に関連して記述した、さまざまな例示的な論理ブロック、モジュール、および回路は、集積回路（ＩＣ）、アクセス端末、またはアクセスポイント内で実現しても、あるいは、集積回路（ＩＣ）、アクセス端末、またはアクセスポイントによって実行してもよい。ＩＣは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、電気コンポーネント、光コンポーネント、機械コンポーネント、あるいは、ここで記述した機能を実行するように設計されているこれらの任意の組み合わせを含んでいてもよく、ＩＣ内に存在する、ＩＣの外側に存在する、または双方に存在するコードまたは命令を実行してもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、例えば、ＤＳＰとマイクロプロセッサとを組み合わせたもののような、コンピューティングデバイスを組み合わせたものとして、複数のマイクロプロセッサとして、ＤＳＰコアに関連した１つ以上のマイクロプロセッサとして、あるいは、このような他の何らかの構成として実現してもよい。
【０１１１】
任意の開示したプロセスにおける、ステップの任意の特定の順序または階層は、サンプルのアプローチの例であることが理解される。設計選択に基づいて、プロセスにおけるステップの特定の順序または階層は、本開示の範囲内のままで再構成してもよいことが理解される。付随している方法の特許請求の範囲は、エレメントのさまざまなステップをサンプルの順序で表現しており、示した特定の順序または階層に限定することを意味しているわけではない。
【０１１２】
１つ以上の例示的な実施形態では、記述した機能は、ハードウェア、ソフトウェア、ファームウェア、またはこれらの任意の組み合わせ中で実現してもよい。ソフトウェア中で実現した場合、機能は、１つ以上の命令またはコードとしてコンピュータ読み取り可能媒体上に記憶させてもよく、あるいは、１つ以上の命令またはコードとしてコンピュータ読み取り可能媒体上に送信してもよい。コンピュータ読み取り可能媒体は、１つの場所から別の場所へのコンピュータプログラムの転送を促進する何らかの媒体を含む、コンピュータ記憶媒体および通信媒体の双方を含む。記憶媒体は、コンピュータによってアクセスできる何らかの利用可能な媒体であってもよい。例示によると、このようなコンピュータ読み取り可能媒体は、ＲＡＭ、ＲＯＭ、ＥＥＰＲＯＭ、ＣＤ−ＲＯＭ、または他の光ディスク記憶デバイス、磁気ディスク記憶デバイスまたは他の磁気記憶デバイス、あるいは命令またはデータ構成の形態で所望のプログラムコードを伝送または記憶するために使用でき、そしてコンピュータによってアクセスできる他の何らかの媒体を含むことができるが、これらに限定されない。また、あらゆる接続は、コンピュータ読み取り可能媒体と適切に呼ばれている。例えば、ソフトウェアが、ウェブサイトから、サーバから、あるいは同軸ケーブル、ファイバ光ケーブル、撚り対、デジタル加入者線（ＤＳＬ）、または赤外線、無線、マイクロ波のようなワイヤレス技術を使用している他の遠隔ソースから送信された場合、同軸ケーブル、ファイバ光ケーブル、撚り対、ＤＳＬ、あるいは赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読み取り可能媒体の範囲内に含められるべきである。コンピュータ読み取り可能媒体は、何らかの適したコンピュータプログラムプロダクト中で実現してもよいことを正しく認識すべきである。
【０１１３】
開示した態様の先の説明は、当業者が、本開示を作り、または、本開示を使用できるように提供されている。これらの態様に対するさまざまな修正は、当業者に容易に明らかになるであろう。また、ここで規定した一般的な原理は、この開示の範囲から逸脱することなく、他の態様に適用されてもよい。したがって、本開示は、ここで示した態様に限定されることを意図しているものではないが、ここで開示した、原理および新規な特徴と矛盾しない最も広範囲に一致させるべきである。
以下に、本願出願の当初の特許請求の範囲に記載された発明を付記する。
［１］通信の方法において、
メッセージサービスがインターネットプロトコルドメインを通して優先して呼び出されるべきであることを、または、前記メッセージサービスはインターネットプロトコルドメインを通して呼び出されるべきではないことを示している表示を、アクセス端末において維持することと、
前記表示に基づいて、メッセージサービス情報を配信することとを含む方法。
［２］前記メッセージサービスは、ショートメッセージサービスを含む［１］記載の方法。
［３］前記インターネットプロトコルドメインは、インターネットプロトコルマルチメディアサブシステムドメインを含む［２］記載の方法。
［４］ネットワークエンティティから前記表示を受信することをさらに含む［１］記載の方法。
［５］前記表示は、前記アクセス端末に対するホームオペレータエンティティから受信される［４］記載の方法。
［６］前記表示の受信は、前記アクセス端末の配備とともに、前記アクセス端末を構成することを含む［１］記載の方法。
［７］前記メッセージサービス情報の配信は、前記メッセージサービスが前記インターネットプロトコルドメインを通して優先して呼び出されるべきであることを前記表示が示している場合に、インターネットプロトコルマルチメディアサブシステムシグナリングを通して前記メッセージサービス情報を配信しようと試行することを含む［１］記載の方法。
［８］前記メッセージサービス情報の配信は、インターネットプロトコルマルチメディアサブシステムシグナリングを通して前記メッセージサービス情報を配信しようとする前記試行が失敗した場合に、非アクセスストラタムシグナリングを通して前記メッセージサービス情報を配信しようと試行することを含む［７］記載の方法。
［９］前記メッセージサービス情報の配信は、インターネットプロトコルマルチメディアサブシステムシグナリングを通して前記メッセージサービス情報を配信しようとする前記試行が失敗した場合に、前記メッセージサービス情報を配信するために回線交換ドメインに登録することを含む［７］記載の方法。
［１０］前記メッセージサービス情報の配信は、前記メッセージサービスは前記インターネットプロトコルドメインを通して呼び出されるべきではないと前記表示が示している場合に、非アクセスストラタムシグナリングを通して前記メッセージサービス情報を配信しようと試行することを含む［１］記載の方法。
［１１］前記メッセージサービス情報の配信は、前記メッセージサービスは前記インターネットプロトコルドメインを通して呼び出されるべきではないと前記表示が示している場合に、前記メッセージサービス情報を配信するために回線交換ドメインに登録することを含む［１］記載の方法。
［１２］通信のための装置において、
メッセージサービスがインターネットプロトコルドメインを通して優先して呼び出されるべきであることを、または、前記メッセージサービスはインターネットプロトコルドメインを通して呼び出されるべきではないことを示している表示を、アクセス端末において維持するように構成されているメモリコンポーネントと、
前記表示に基づいて、メッセージサービス情報を配信するように構成されているメッセージサービスプロセッサとを具備する装置。
［１３］前記メッセージサービスは、ショートメッセージサービスを含む［１２］記載の装置。
［１４］前記インターネットプロトコルドメインは、インターネットプロトコルマルチメディアサブシステムドメインを含む［１３］記載の装置。
［１５］ネットワークエンティティから前記表示を受信するように構成されている受信機をさらに具備する［１２］記載の装置。
［１６］前記メッセージサービス情報の配信は、前記メッセージサービスが前記インターネットプロトコルドメインを通して優先して呼び出されるべきであることを前記表示が示している場合に、インターネットプロトコルマルチメディアサブシステムシグナリングを通して前記メッセージサービス情報を配信しようと試行することを含む［１２］記載の装置。
［１７］前記メッセージサービス情報の配信は、インターネットプロトコルマルチメディアサブシステムシグナリングを通して前記メッセージサービス情報を配信しようとする前記試行が失敗した場合に、非アクセスストラタムシグナリングを通して前記メッセージサービス情報を配信しようと試行することを含む［１６］記載の装置。
［１８］前記メッセージサービス情報の配信は、前記メッセージサービスは前記インターネットプロトコルドメインを通して呼び出されるべきではないと前記表示が示している場合に、非アクセスストラタムシグナリングを通して前記メッセージサービス情報を配信しようと試行することを含む［１２］記載の装置。
［１９］通信のための装置において、
メッセージサービスがインターネットプロトコルドメインを通して優先して呼び出されるべきであることを、または、前記メッセージサービスはインターネットプロトコルドメインを通して呼び出されるべきではないことを示している表示を、アクセス端末において維持する手段と、
前記表示に基づいて、メッセージサービス情報を配信する手段とを具備する装置。
［２０］前記メッセージサービスは、ショートメッセージサービスを含む［１９］記載の装置。
［２１］前記インターネットプロトコルドメインは、インターネットプロトコルマルチメディアサブシステムドメインを含む［２０］記載の装置。
［２２］ネットワークエンティティから前記表示を受信する手段をさらに具備する［１９］記載の装置。
［２３］前記メッセージサービス情報の配信は、前記メッセージサービスが前記インターネットプロトコルドメインを通して優先して呼び出されるべきであることを前記表示が示している場合に、インターネットプロトコルマルチメディアサブシステムシグナリングを通して前記メッセージサービス情報を配信しようと試行することを含む［１９］記載の装置。
［２４］前記メッセージサービス情報の配信は、インターネットプロトコルマルチメディアサブシステムシグナリングを通して前記メッセージサービス情報を配信しようとする前記試行が失敗した場合に、非アクセスストラタムシグナリングを通して前記メッセージサービス情報を配信しようと試行することを含む［２３］記載の装置。
［２５］前記メッセージサービス情報の配信は、前記メッセージサービスは前記インターネットプロトコルドメインを通して呼び出されるべきではないと前記表示が示している場合に、非アクセスストラタムシグナリングを通して前記メッセージサービス情報を配信しようと試行することを含む［１９］記載の装置。
［２６］コンピュータプログラムプロダクトにおいて、
メッセージサービスがインターネットプロトコルドメインを通して優先して呼び出されるべきであることを、または、前記メッセージサービスはインターネットプロトコルドメインを通して呼び出されるべきではないことを示している表示を、アクセス端末においてコンピュータに維持させるためのコードと、
前記表示に基づいて、メッセージサービス情報を前記コンピュータに配信させるためのコードとを含むコンピュータ読み取り可能媒体を具備するコンピュータプログラムプロダクト。
［２７］前記メッセージサービスは、ショートメッセージサービスを含む［２６］記載のコンピュータプログラムプロダクト。
［２８］前記インターネットプロトコルドメインは、インターネットプロトコルマルチメディアサブシステムドメインを含む［２７］記載のコンピュータプログラムプロダクト。
［２９］前記コンピュータ読み取り可能媒体は、ネットワークエンティティから前記表示を前記コンピュータに受信させるためのコードをさらに含む［２６］記載のコンピュータプログラムプロダクト。
［３０］前記メッセージサービス情報の配信は、前記メッセージサービスが前記インターネットプロトコルドメインを通して優先して呼び出されるべきであることを前記表示が示している場合に、インターネットプロトコルマルチメディアサブシステムシグナリングを通して前記メッセージサービス情報を配信しようと試行することを含む［２６］記載のコンピュータプログラムプロダクト。
［３１］前記メッセージサービス情報の配信は、インターネットプロトコルマルチメディアサブシステムシグナリングを通して前記メッセージサービス情報を配信しようとする前記試行が失敗した場合に、非アクセスストラタムシグナリングを通して前記メッセージサービス情報を配信しようと試行することを含む［３０］記載のコンピュータプログラムプロダクト。
［３２］前記メッセージサービス情報の配信は、前記メッセージサービスは前記インターネットプロトコルドメインを通して呼び出されるべきではないと前記表示が示している場合に、非アクセスストラタムシグナリングを通して前記メッセージサービス情報を配信しようと試行することを含む［２６］記載のコンピュータプログラムプロダクト。
［３３］通信の方法において、
アクセス端末によって発信されるメッセージサービスがインターネットプロトコルドメインを通して優先して呼び出されるべきであることを、または、前記メッセージサービスはインターネットプロトコルドメインを通して呼び出されるべきではないことを示している表示を発生させることと、
前記表示を前記アクセス端末に対して送ることとを含む方法。
［３４］前記メッセージサービスは、ショートメッセージサービスを含む［３３］記載の方法。
［３５］前記インターネットプロトコルドメインは、インターネットプロトコルマルチメディアサブシステムドメインを含む［３４］記載の方法。
［３６］前記表示は、ネットワークエンティティによって送られる［３３］記載の方法。
［３７］前記表示は、前記アクセス端末に対するホームオペレータエンティティによって送られる［３３］記載の方法。
［３８］通信のための装置において、
アクセス端末によって発信されるメッセージサービスがインターネットプロトコルドメインを通して優先して呼び出されるべきであることを、または、前記メッセージサービスはインターネットプロトコルドメインを通して呼び出されるべきではないことを示している表示を発生させるように構成されているメッセージサービスプロセッサと、
前記表示を前記アクセス端末に対して送るように構成されている送信機とを具備する装置。
［３９］前記メッセージサービスは、ショートメッセージサービスを含む［３８］記載の装置。
［４０］前記インターネットプロトコルドメインは、インターネットプロトコルマルチメディアサブシステムドメインを含む［３９］記載の装置。
［４１］前記表示は、ネットワークエンティティによって送られる［３８］記載の装置。
［４２］通信のための装置において、
アクセス端末によって発信されるメッセージサービスがインターネットプロトコルドメインを通して優先して呼び出されるべきであることを、または、前記メッセージサービスはインターネットプロトコルドメインを通して呼び出されるべきではないことを示している表示を発生させる手段と、
前記表示を前記アクセス端末に対して送る手段とを具備する装置。
［４３］前記メッセージサービスは、ショートメッセージサービスを含む［４２］記載の装置。
［４４］前記インターネットプロトコルドメインは、インターネットプロトコルマルチメディアサブシステムドメインを含む［４３］記載の装置。
［４５］前記表示は、ネットワークエンティティによって送られる［４２］記載の装置。
［４６］コンピュータプログラムプロダクトにおいて、
アクセス端末によって発信されるメッセージサービスがインターネットプロトコルドメインを通して優先して呼び出されるべきであることを、または、前記メッセージサービスはインターネットプロトコルドメインを通して呼び出されるべきではないことを示している表示をコンピュータに発生させるためのコードと、
前記表示を前記アクセス端末に対して前記コンピュータに送らせるためのコードとを含むコンピュータ読み取り可能媒体を具備するコンピュータプログラムプロダクト。
［４７］前記メッセージサービスは、ショートメッセージサービスを含む［４６］記載のコンピュータプログラムプロダクト。
［４８］前記インターネットプロトコルドメインは、インターネットプロトコルマルチメディアサブシステムドメインを含む［４７］記載のコンピュータプログラムプロダクト。
［４９］前記表示は、ネットワークエンティティによって送られる［４６］記載のコンピュータプログラムプロダクト。
【図１】
0005619896.tif 000002
【図２】
0005619896.tif 000003
【図３】
0005619896.tif 000004
【図４】
0005619896.tif 000005
【図５】
0005619896.tif 000006
【図６】
0005619896.tif 000007
【図７】
0005619896.tif 000008
【図８】
0005619896.tif 000009
【図９】
0005619896.tif 000010
【図１０】
0005619896.tif 000011
【図１１】
0005619896.tif 000012
【図１２】
0005619896.tif 000013
【図１３】
0005619896.tif 000014
【図１４】
0005619896.tif 000015
【図１５】
0005619896.tif 000016
【図１６】
0005619896.tif 000017
【図１７】
0005619896.tif 000018
【図１８】
0005619896.tif 000019
【図１９】
0005619896.tif 000020